(57)【要約】      （修正有）【課題】パソコンの知識がなくてもインターネット、テレビ電話、電子メールを利用できて、その操作を簡単にする。【解決手段】端末機１，２，３，４には複数の端末機１，２，３，４のうち接続先となる端末機１，２，３，４のインターネットプロトコルアドレス、インターネット上の複数のウェブサイトのうち接続先となるウェブサイトのアドレス、送信先となるメールアドレスが夫々プリセットされるとともに、接続先となる他の端末機１，２，３，４のいずれか、接続先となるウェブサイトのいずれか、送信先となるメールアドレスのいずれかを選択するためのテンキー装置１５，２５，３５，４５が接続される。端末機１，２，３，４はメールアドレスを有し、テンキー装置１５，２５，３５，４５による選択によって、他の端末機１，２，３，４とのテレビ電話、ウェブサイトの閲覧、メールアドレスへの電子メールの送信、第三者からの電子メールの受信が可能である。【選択図】図１
2006129429.tif 000002
【特許請求の範囲】
【請求項１】
複数の端末機との間で情報を送受信することが可能な通信システムの端末機であって、
前記複数の端末機のうち接続先となる端末機のインターネットプロトコルアドレスがプリセットされ、
前記接続先となる端末機のインターネットプロトコルアドレスが割り当てられた１又は複数のボタンを備えた入力装置が接続され、
前記接続先となる端末機のうち前記入力装置により選択された端末機とテレビ電話を行うことが可能な通信システムの端末機。
【請求項２】
複数の端末機との間で情報を送受信することが可能な通信システムの端末機であって、
通信システムのサーバのインターネットプロトコルアドレスがプリセットされ、
前記通信システムのサーバのインターネットプロトコルアドレスが割り当てられた１又は複数のボタンを備えた入力装置が接続され、
前記入力装置により前記通信システムのサーバへのアクセスを選択することで、前記複数の端末機のうちの複数台と同時にテレビ電話を行うことが可能な通信システムの端末機。
【請求項３】
前記テレビ電話を行った旨を記した定型文からなる電子メールを予め登録した他の端末機や情報端末に送信する請求項１又は２に記載の通信システムの端末機。
【請求項４】
複数の端末機との間で情報を送受信することが可能な通信システムの端末機であって、
インターネット上の複数のウェブサイトのうち接続先となるウェブサイトのアドレスがプリセットされ、
前記接続先となるウェブサイトのアドレスが割り当てられた１又は複数のボタンを備えた入力装置が接続され、
前記接続先となるウェブサイトのうち前記入力装置により選択されたウェブサイトを閲覧することが可能な通信システムの端末機。
【請求項５】
前記選択されたウェブサイトの閲覧を行った旨を記した定型文からなる電子メールを予め登録した他の端末機や情報端末に送信する請求項４に記載の通信システムの端末機。
【請求項６】
複数の端末機との間で情報を送受信することが可能な通信システムの端末機であって、
送信先となるメールアドレスがプリセットされ、
前記送信先となるメールアドレスが割り当てられた１又は複数のボタンを備えた入力装置が接続され、
前記送信先となるメールアドレスのうち前記入力装置により選択されたメールアドレスに電子メールを送信することが可能な通信システムの端末機。
【請求項７】
前記電子メールの文言は予め決められている請求項６に記載の通信システムの端末機。
【請求項８】
前記選択されたメールアドレスに前記電子メールを送信した旨を記した定型文からなる電子メールを予め登録した他の端末機や情報端末に送信する請求項６又は７に記載の通信システムの端末機。
【請求項９】
前記送信先となるメールアドレスには、緊急連絡先のメールアドレスが含まれている請求項６乃至８のいずれかに記載の通信システムの端末機。
【請求項１０】
前記緊急連絡先には、医療機関、福祉関連施設、介護関連施設、親族、警察署、消防署、自治体のすくなくとも１つが含まれている請求項９に記載の通信システムの端末機。
【請求項１１】
前記入力装置が、前記緊急連絡先に前記電子メールを送信するためのボタンを備えている請求項９又は１０に記載の通信システムの端末機。
【請求項１２】
前記入力装置によって選択された後の状態を選択前の状態に戻す戻り機能を備えている請求項１乃至１１のいずれかに記載の通信システムの端末機。
【請求項１３】
前記戻り機能が、前記入力装置の操作によって実行される請求項１２に記載の通信システムの端末機。
【請求項１４】
前記戻り機能を実行するための前記入力装置の操作方法が、前記通信システムの端末機に接続されたモニター手段に表示される請求項１３に記載の通信システムの端末機。
【請求項１５】
複数の端末機との間で情報を送受信することが可能な通信システムの端末機であって、
固有のメールアドレスを有し、
電子メールを受信することが可能な通信システムの端末機。
【請求項１６】
前記電子メールを受信した際に作動する光報知手段、音響報知手段、振動報知手段の少なくとも１つを備えている請求項１５に記載の通信システムの端末機。
【請求項１７】
前記入力装置が矢印ボタンと確定ボタンとを備えており、
前記通信システムの端末機に接続されたモニター手段には複数のメニューが表示され、
前記矢印ボタンの操作により前記複数のメニューのいずれかを選択して、前記確定ボタンで確定する請求項１乃至１４のいずれかに記載の通信システムの端末機。
【請求項１８】
前記矢印ボタンは、前記モニター手段に表示された画面をスクロール可能である請求項１７に記載の通信システムの端末機。
【請求項１９】
前記矢印ボタンは、前記モニター手段に表示されたカーソルを移動可能である請求項１７又は１８に記載の通信システムの端末機。
【請求項２０】
前記入力装置が、ジョイスティックと確定ボタンとを備えており、
前記通信システムの端末機に接続されたモニター手段には複数のメニューが表示され、
前記ジョイスティックの操作により前記複数のメニューのいずれかを選択して、前記確定ボタンで確定する請求項１乃至１４のいずれかに記載の通信システムの端末機。
【請求項２１】
前記ジョイスティックは、前記モニター手段に表示された画面をスクロール可能である請求項２０に記載の通信システムの端末機。
【請求項２２】
前記ジョイスティックは、前記モニター手段に表示されたカーソルを移動可能である請求項２０又は２１に記載の通信システムの端末機。
【請求項２３】
前記入力装置が、トラックボールと確定ボタンとを備えており、
前記通信システムの端末機に接続されたモニター手段には複数のメニューが表示され、
前記トラックボールで前記複数のメニューのいずれかを選択して、前記確定ボタンで確定する請求項１乃至１４のいずれかに記載の通信システムの端末機。
【請求項２４】
前記トラックボールは、前記モニター手段に表示された画面をスクロール可能である請求項２３に記載の通信システムの端末機。
【請求項２５】
前記トラックボールは、前記モニター手段に表示されたカーソルを移動可能である請求項２３又は２４に記載の通信システムの端末機。
【請求項２６】
前記入力装置が選択ボタンと確定ボタンとを備えており、
前記通信システムの端末機に接続されたモニター手段には複数のメニューが表示され、
前記選択ボタンを押すごとに、前記複数のメニューにおける選択先が順番に移行し、
前記確定ボタンで選択先のメニューを確定する請求項１乃至１４のいずれかに記載の通信システムの端末機。
【請求項２７】
前記入力装置が操作ボタンを備えており、
前記通信システムの端末機に接続されたモニター手段には複数のメニューが表示され、
前記操作ボタンを短く押すごとに、前記複数のメニューにおける選択先が順番に移行し、
前記操作ボタンを長く押すことで選択先のメニューを確定する請求項１乃至１４のいずれかに記載の通信システムの端末機。
【請求項２８】
前記入力装置がマウス機能を備えており、
前記マウス機能により、前記モニター手段に表示された画面をスクロールさせること且つ／又は前記モニター手段に表示されたカーソルを移動させることが可能である請求項２６又は２７に記載の通信システムの端末機。
【請求項２９】
前記入力装置がテンキー装置であり、
前記通信システムの端末機に接続されたモニター手段には複数のメニューが表示され、
前記テンキー装置に備わったボタンのいずれかを選択することにより、選択されたボタンに対応するメニューを確定する請求項１乃至１４のいずれかに記載の通信システムの端末機。
【請求項３０】
前記テンキー装置がマウス機能を備えており、
前記マウス機能により、前記モニター手段に表示された画面をスクロールさせること且つ／又は前記モニター手段に表示されたカーソルを移動させることが可能である請求項２９に記載の通信システムの端末機。
【請求項３１】
前記モニター手段には、前記テンキー装置のボタン配列と同じ配列で並び、個々が対応するメニューを表示する複数の分割画面が表示される請求項２９又は３０に記載の通信システムの端末機。
【請求項３２】
前記モニター手段に表示される前記複数のメニューは、放射状又は環状に並んで配置されている請求項１７乃至３０のいずれかに記載の通信システムの端末機。
【請求項３３】
前記モニター手段に表示される前記複数のメニューのいずれかが確定されると、確定されたメニューに対応する複数のメニューが前記モニター手段に表示される請求項１７乃至３２のいずれかに記載の通信システムの端末機。
【請求項３４】
前記モニター手段に表示される前記複数のメニューのうち、選択先のメニューが、他のメニューと異なる態様で表示される請求項１７乃至３３のいずれかに記載の通信システムの端末機。
【請求項３５】
前記モニター手段に表示される前記複数のメニューのいずれかが確定されるごとに、前記モニター手段に表示される画面の態様が変化する請求項１７乃至３４のいずれかに記載の通信システムの端末機。
【発明の詳細な説明】
【技術分野】
【０００１】
本発明は、通信システムの端末機、特に、全くパソコンの知識がなくてもインターネット、テレビ電話、電子メールを利用することができる通信システムの端末機に関する。
【背景技術】
【０００２】
家族や友人と離れて独居する高齢者や、共働きの両親の帰りを待つ子供が増えている。これらの者との通信手段の一つに電話がある。なかでも、テレビ電話はお互いの顔をテレビで観ながら会話ができるため、視覚的情報を得ることができて、コミュニケーションに長けている。ここで、テレビ電話とは、音声と映像とをリアルタイムで送受できるシステムのことを指す。
【０００３】
テレビ電話の利用を容易にするために、特許文献１には、タッチパネル画面に電話帳画面を表示して利用者に通信接続する相手を選択させることを特徴とするテレビ電話システムの端末機が開示されている。
【０００４】
【特許文献１】特開２００４−２５３９２４号公報
【発明の開示】
【発明が解決しようとする課題】
【０００５】
しかしながら、テレビ電話は相手が不在の場合には通信できず、用を成さない。そのため、高齢者がテレビ電話を利用した旨を離れて暮らす子供が電子メール等で知ることで高齢者の様子を窺い知るというような一種の監視システムとしてテレビ電話を利用しようとしても、利用者がテレビ電話を活用する機会が少ないために、監視システムとしての役割を果たさない。そこで発明者等は、テレビ電話よりも手軽に活用する機会が多く、監視システムに適したサービスとしてインターネットや電子メールが利用できるインターネット機能に着目した。しかし、インターネット機能は汎用パーソナルコンピュータ（以下、パソコンと称す）を使用して行われるもので、操作にパソコンの知識を必要とするため、特に高齢者にとっては操作が複雑で、容易に利用できるものではない。
【０００６】
本発明の目的は、全くパソコンの知識がなくてもインターネット、テレビ電話、電子メールを利用できて、その操作が簡単な通信システムの端末機を提供することである。
【課題を解決するための手段及び効果】
【０００７】
本発明の通信システムの端末機は、複数の端末機との間で情報を送受信することが可能な通信システムの端末機であって、前記複数の端末機のうち接続先となる端末機のインターネットプロトコルアドレスがプリセットされ、前記接続先となる端末機のインターネットプロトコルアドレスが割り当てられた１又は複数のボタンを備えた入力装置が接続され、前記接続先となる端末機のうち前記入力装置により選択された端末機とテレビ電話を行うことが可能なものである。
【０００８】
本発明によると、通信システムの端末機（以下、端末機という）の利用者は入力装置を用いて接続先となる端末機のいずれかを選択する簡単な操作により、選択された端末機とテレビ電話を行うことができる。よって、全くパソコンの知識がない高齢者や子供等であってもテレビ電話を楽しむことができる。
【０００９】
本発明の通信システムの端末機は、複数の端末機との間で情報を送受信することが可能な通信システムの端末機であって、通信システムのサーバのインターネットプロトコルアドレスがプリセットされ、前記通信システムのサーバのインターネットプロトコルアドレスが割り当てられた１又は複数のボタンを備えた入力装置が接続され、前記入力装置により前記通信システムのサーバへのアクセスを選択することで、前記複数の端末機のうちの複数台と同時にテレビ電話を行うことが可能なものである。
【００１０】
本発明によると、端末機の利用者は入力装置を用いて通信システムのサーバへのアクセスを選択する簡単な操作により、複数の端末機のうちの複数台と同時にテレビ電話を行うことができる。よって、全くパソコンの知識がない高齢者や子供等であっても複数人と同時にテレビ電話を楽しむことができる。
【００１１】
本発明においては、前記テレビ電話を行った旨を記した定型文からなる電子メールを予め登録した他の端末機や情報端末に送信してよい。これによると、例えば端末機の利用者が高齢者である場合に、テレビ電話の利用の情報を離れて暮らす親族や福祉関係者が電子メールで知ることで、高齢者の様子を窺い知ることができる。
【００１２】
本発明の通信システムの端末機は、複数の端末機との間で情報を送受信することが可能な通信システムの端末機であって、インターネット上の複数のウェブサイトのうち接続先となるウェブサイトのアドレスがプリセットされ、前記接続先となるウェブサイトのアドレスが割り当てられた１又は複数のボタンを備えた入力装置が接続され、前記接続先となるウェブサイトのうち前記入力装置により選択されたウェブサイトを閲覧することが可能なものである。
【００１３】
本発明によると、端末機の利用者は入力装置を用いて接続先となるウェブサイトのいずれかを選択する簡単な操作により、選択されたウェブサイトを閲覧することができる。よって、全くパソコンの知識がない高齢者や子供等であってもインターネットを楽しむことができる。
【００１４】
本発明においては、前記選択されたウェブサイトの閲覧を行った旨を記した定型文からなる電子メールを予め登録した他の端末機や情報端末に送信してよい。これによると、例えば端末機の利用者が高齢者である場合に、インターネットの利用の情報を離れて暮らす親族や福祉関係者が電子メールで知ることで、高齢者の様子を窺い知ることができる。
【００１５】
本発明の通信システムの端末機は、複数の端末機との間で情報を送受信することが可能な通信システムの端末機であって、送信先となるメールアドレスがプリセットされ、前記送信先となるメールアドレスが割り当てられた１又は複数のボタンを備えた入力装置が接続され、前記送信先となるメールアドレスのうち前記入力装置により選択されたメールアドレスに電子メールを送信することが可能なものである。
【００１６】
本発明によると、端末機の利用者は入力装置を用いて送信先となるメールアドレスのいずれかを選択する簡単な操作により、選択されたメールアドレスに電子メールを送信することができる。よって、全くパソコンの知識がない高齢者や子供等であっても電子メールを楽しむことができる。
【００１７】
本発明においては、前記電子メールの文言は予め決められていてよい。これによると、伝えたい内容をボタンひとつで相手側に伝えることができるため、端末機の利用者は煩雑な入力作業を行わなくて済む。
【００１８】
本発明においては、前記選択されたメールアドレスに前記電子メールを送信した旨を記した定型文からなる電子メールを予め登録した他の端末機や情報端末に送信してよい。これによると、例えば端末機の利用者が高齢者である場合に、電子メールの利用の情報を離れて暮らす親族や福祉関係者が電子メールで知ることで、高齢者の様子を窺い知ることができる。
【００１９】
本発明においては、前記送信先となるメールアドレスには、緊急連絡先のメールアドレスが含まれていてよい。これによると、端末機の利用者の身に異常が生じた場合に、端末機の利用者はその情報を緊急連絡先にいち早く知らせることができるため、それを受けた緊急連絡先の者は、素早く端末機の利用者への対処を行うことができる。
【００２０】
本発明においては、前記緊急連絡先には、医療機関、福祉関連施設、介護関連施設、親族、警察署、消防署、自治体のすくなくとも１つが含まれていてよい。これによると、端末機の利用者は、異常時にすぐに助けを求めることができるという安心感を持って生活を送ることができる。
【００２１】
本発明においては、前記入力装置が、前記緊急連絡先に前記電子メールを送信するためのボタンを備えていてよい。これによると、端末機の利用者は、いざというときに緊急通報としての電子メールをボタンひとつで緊急連絡先に送信することができるため、緊急連絡先からの迅速な対応を受けることができる。
【００２２】
本発明においては、前記入力装置によって選択された後の状態を選択前の状態に戻す戻り機能を備えていてよい。これによると、端末機の利用者は戻り機能によって選択前の状態に戻って、選択をやり直すことができる。
【００２３】
本発明においては、前記戻り機能が、前記入力装置の操作によって実行されてよい。これによると、端末機の利用者が選択をやり直したいときに、入力装置を操作することで、強制的に選択前の状態に戻すことができる。
【００２４】
本発明においては、前記戻り機能を実行するための前記入力装置の操作方法が、前記通信システムの端末機に接続されたモニター手段に表示されてよい。これによると、端末機の利用者が選択をやり直したいときに、選択前の状態に戻すための操作方法がモニター手段に表示されているため、操作に迷うことがない。
【００２５】
本発明の通信システムの端末機は、複数の端末機との間で情報を送受信することが可能な通信システムの端末機であって、固有のメールアドレスを有し、電子メールを受信することが可能なものである。
【００２６】
本発明によると、例えば端末機の利用者が高齢者である場合に、離れて暮らす親族や友人、福祉関係者が高齢者に電子メールを送ることで、高齢者にコミュニケーションを働きかけることができる。また、自治体が端末機の利用者に災害等の緊急通報を電子メールでいち早く知らせることにより、端末機の利用者に避難等の対応を素早く行わせることができる。
【００２７】
本発明においては、前記電子メールを受信した際に作動する光報知手段、音響報知手段、振動報知手段の少なくとも１つを備えていてよい。これによると、視覚、聴覚、触覚の少なくとも１つを通じて端末機の利用者に電子メールが届いていることをいち早く知らせることができる。
【００２８】
本発明においては、前記入力装置が矢印ボタンと確定ボタンとを備えており、前記通信システムの端末機に接続されたモニター手段には複数のメニューが表示され、前記矢印ボタンの操作により前記複数のメニューのいずれかを選択して、前記確定ボタンで確定してよい。これによると、入力装置の操作が単純で、その操作方法も明快であるため、端末機の利用者が高齢者や子供であっても、とっつきやすいものとすることができる。
【００２９】
本発明においては、前記矢印ボタンは、前記モニター手段に表示された画面をスクロール可能であってよい。これによると、例えばインターネットの画面を上下左右にスクロールさせることができるため、端末機の利用者はインターネットを十分に楽しむことができる。
【００３０】
本発明においては、前記矢印ボタンは、前記モニター手段に表示されたカーソルを移動可能であってよい。これによると、例えばインターネットの画面に表示されるカーソルを自由に移動させて、リンク先のサイトに次々にアクセスしていくことができるため、端末機の利用者のアクセス自由度が広がる。
【００３１】
本発明においては、前記入力装置が、ジョイスティックと確定ボタンとを備えており、前記通信システムの端末機に接続されたモニター手段には複数のメニューが表示され、前記ジョイスティックの操作により前記複数のメニューのいずれかを選択して、前記確定ボタンで確定してよい。これによると、パソコンやテレビゲーム機向けに市販されているボタン付きのジョイスティックを入力装置として流用することができる場合があり、この場合には、製造コストを抑えることができるとともに、故障しても容易に取替えを行うことができる。また、ジョイスティックの操作が単純で、その操作方法も明快であるため、端末機の利用者が高齢者や子供であっても、とっつきやすいものとすることができる。
【００３２】
本発明においては、前記ジョイスティックは、前記モニター手段に表示された画面をスクロール可能であってよい。これによると、例えばインターネットの画面を上下左右にスクロールさせることができるため、端末機の利用者はインターネットを十分に楽しむことができる。
【００３３】
本発明においては、前記ジョイスティックは、前記モニター手段に表示されたカーソルを移動可能であってよい。これによると、例えばインターネットの画面に表示されるカーソルを自由に移動させて、リンク先のサイトに次々にアクセスしていくことができるため、端末機の利用者のアクセス自由度が広がる。
【００３４】
本発明においては、前記入力装置が、トラックボールと確定ボタンとを備えており、前記通信システムの端末機に接続されたモニター手段には複数のメニューが表示され、前記トラックボールで前記複数のメニューのいずれかを選択して、前記確定ボタンで確定してよい。これによると、パソコン向けに市販されているボタン付きのトラックボールを入力装置として流用することができる場合があり、この場合には、製造コストを抑えることができるとともに、故障しても容易に取替えを行うことができる。また、トラックボールの操作が単純で、その操作方法も明快であるため、端末機の利用者が高齢者や子供であっても、とっつきやすいものとすることができる。
【００３５】
本発明においては、前記トラックボールは、前記モニター手段に表示された画面をスクロール可能であってよい。これによると、例えばインターネットの画面を上下左右にスクロールさせることができるため、端末機の利用者はインターネットを十分に楽しむことができる。
【００３６】
本発明においては、前記トラックボールは、前記モニター手段に表示されたカーソルを移動可能であってよい。これによると、例えばインターネットの画面に表示されるカーソルを自由に移動させて、リンク先のサイトに次々にアクセスしていくことができるため、端末機の利用者のアクセス自由度が広がる。
【００３７】
本発明においては、前記入力装置が選択ボタンと確定ボタンとを備えており、前記通信システムの端末機に接続されたモニター手段には複数のメニューが表示され、前記選択ボタンを押すごとに、前記複数のメニューにおける選択先が順番に移行し、前記確定ボタンで選択先のメニューを確定してよい。これによると、入力装置がシンプルな構成であり、操作が単純で、その操作方法も明快であるため、端末機の利用者が高齢者や子供であっても、とっつきやすいものとすることができる。
【００３８】
本発明においては、前記入力装置が操作ボタンを備えており、前記通信システムの端末機に接続されたモニター手段には複数のメニューが表示され、前記操作ボタンを短く押すごとに、前記複数のメニューにおける選択先が順番に移行し、前記操作ボタンを長く押すことで選択先のメニューを確定してよい。これによると、入力装置が必要最小限のボタンを備えたシンプルな構成であり、操作が単純で、その操作方法も明快であるため、端末機の利用者が高齢者や子供であっても、とっつきやすいものとすることができる。
【００３９】
本発明においては、前記入力装置がマウス機能を備えており、前記マウス機能により、前記モニター手段に表示された画面をスクロールさせること且つ／又は前記モニター手段に表示されたカーソルを移動させることが可能であってよい。これによると、例えばインターネットの画面を上下左右にスクロールさせることができたり、インターネットの画面に表示されるカーソルを自由に移動させて、リンク先のサイトに次々にアクセスしていくことができるため、端末機の利用者のアクセス自由度が広がり、端末機の利用者はインターネットを十分に楽しむことができる。
【００４０】
本発明においては、前記入力装置がテンキー装置であり、前記通信システムの端末機に接続されたモニター手段には複数のメニューが表示され、前記テンキー装置に備わったボタンのいずれかを選択することにより、選択されたボタンに対応するメニューを確定してよい。これによると、パソコン向けに市販されているテンキー装置を入力装置として流用することができるため、製造コストを抑えることができるとともに、故障しても容易に取替えを行うことができる。また、テンキー装置の操作が単純で、その操作方法も明快であるため、端末機の利用者が高齢者や子供であっても、とっつきやすいものとすることができる。
【００４１】
本発明においては、前記テンキー装置がマウス機能を備えており、前記マウス機能により、前記モニター手段に表示された画面をスクロールさせること且つ／又は前記モニター手段に表示されたカーソルを移動させることが可能であってよい。これによると、例えばインターネットの画面を上下左右にスクロールさせることができたり、インターネットの画面に表示されるカーソルを自由に移動させて、リンク先のサイトに次々にアクセスしていくことができるため、端末機の利用者のアクセス自由度が広がり、端末機の利用者はインターネットを十分に楽しむことができる。また、マウス機能を備えたテンキー装置がテンキー付マウスであれば、パソコン向けに市販されているものを流用することができるため、製造コストを抑えることができるとともに、故障しても容易に取替えを行うことができる。
【００４２】
本発明においては、前記モニター手段には、前記テンキー装置のボタン配列と同じ配列で並び、個々が対応するメニューを表示する複数の分割画面が表示されてよい。これによると、テンキー装置のボタン配列とモニター手段に表示された複数の分割画面の配列が同じであり、複数の分割画面のそれぞれには対応するメニューが表示されているため、端末機の利用者が高齢者や子供であっても、どのボタンがどのメニューに対応しているのかが一目瞭然であり、操作しやすい。
【００４３】
本発明においては、前記モニター手段に表示される前記複数のメニューは、放射状又は環状に並んで配置されていてよい。これによると、端末機の利用者の眼の移動距離が少なくて済むので、端末機の利用者の眼の負担を低減させることができる。
【００４４】
本発明においては、前記モニター手段に表示される前記複数のメニューのいずれかが確定されると、確定されたメニューに対応する複数のメニューが前記モニター手段に表示されてよい。これによると、１つのメニューに複数のメニューを対応させていくことで、端末機の利用者の選択の幅を容易に広げることができる。
【００４５】
本発明においては、前記モニター手段に表示される前記複数のメニューのうち、選択先のメニューが、他のメニューと異なる態様で表示されてよい。これによると、端末機の利用者にとって、どのメニューが現在選択されているのかが一目瞭然である。
【００４６】
本発明においては、前記モニター手段に表示される前記複数のメニューのいずれかが確定されるごとに、前記モニター手段に表示される画面の態様が変化してよい。これによると、端末機の利用者に画面が切り替わったことを視認させることができるので、端末機の利用者の操作ミスを低減させることができる。
【発明を実施するための最良の形態】
【００４７】
以下、図面を参照しつつ、本発明に係る通信システムの端末機の実施の形態について説明する。
【００４８】
［第１の実施の形態］
本発明の第１の実施の形態に係る通信システムの端末機を図１〜図１８に基づいて説明する。図１は通信システムの各機器の接続構成の概略を示す図である。図２は第１の実施の形態に係る端末機の構成を示す図である。図３は第１の実施の形態に係る入力装置であるマウス機能付テンキー装置を示す図である。図４〜図１８は第１の実施の形態に係る表示画面を示す図である。
【００４９】
図１において、通信システムは、コミュニケーションサーバを備えたサーバ付端末機１（単に端末機１という場合がある）と、特定インターネットプロトコル（ＩＰ：Ｉｎｔｅｒｎｅｔ Ｐｒｏｔｏｃｏｌ）網９０を介してサーバ付端末機１に接続される端末機２，３，４を備えている。尚、本実施の形態においては、サーバ付端末機１に接続される端末機の数を３台として説明するが、端末機の数はこれに限定されるものではない。
【００５０】
通信システムの端末（単に端末と呼ぶ）１０は、図２に示すように、サーバ付端末機１と、サーバ付端末機１に夫々接続されたモニター手段としてのテレビ１１、撮影手段としてのカメラ１２、データ中継手段としてのルータ１３、集音手段としてのマイクロフォン１４、入力手段としてのマウス機能付テンキー装置１５、光報知手段としてのランプ１６、音響報知手段としてのブザー１７、振動報知手段としてのバイブレータ１８で構成される。また、端末２０は、サーバの付いていない端末機２と、端末機２に夫々接続されるテレビ２１、カメラ２２、ルータ２３、マイクロフォン２４、マウス機能付テンキー装置２５、ランプ２６、ブザー２７、バイブレータ２８で構成される。端末３０，４０の構成は端末２０の構成と同様である。端末１０は福祉センター（以下、センターと呼ぶ）等、複数人が利用する場所に設置される。一方、端末２０，３０，４０は各家庭に設置される。
【００５１】
サーバ付端末機１としては、インターネット通信手段やメモリー（記憶手段）、音声収録再生手段、映像収録再生手段を備えた一般的なコンピュータが挙げられる。そして、このコンピュータには、本実施の形態の通信システムに係わるコミュニケーションサーバとしてコンピュータを作動させるための専用ソフトが搭載されている。サーバ付端末機１は、サーバ付端末機１を含めた各端末機１，２，３，４間で接続すべき端末機を探して接続するという交換機や、各端末機１，２，３，４間で伝言すべき端末機を探してメッセージを知らせるという伝言サーバの役目をする。
【００５２】
端末１０のサーバ付端末機１は固定ＩＰアドレスを有しており、端末２０，３０，４０側の端末機２，３，４のＩＰアドレスは、ＡＤＳＬ等を介してサーバ付端末機１に接続されると与えられるＩＰ（以下、非固定ＩＰと称す）アドレスである。端末２０，３０，４０の端末機２，３，４が特定ＩＰ網９０を介してサーバ付端末機１に接続し非固定ＩＰアドレスを取得することで、他の端末１０，２０，３０，４０のいずれかと２元テレビ電話を、或いは他の端末１０，２０，３０，４０のうちの複数と多元テレビ電話を、夫々行うことが可能になる。
【００５３】
テレビ１１，２１，３１，４１は一般に普及しているものであって、通信システムにおけるモニター手段として機能する。通信システムの機能のひとつであるテレビ電話において、カメラ１２，２２，３２，４２が撮影した端末１０，２０，３０，４０の利用者（以下、利用者という場合がある）側の映像は相手側のテレビに映し出されるとともに、利用者がしゃべった言葉はその利用者側のマイクロフォン１４，２４，３４，４４で集音されて相手側のテレビのスピーカから出力される。ルータ１３，２３，３３，４３はデータを中継する機器であって、ＩＰアドレスを見て、どの経路を通して転送すべきかを判断する経路選択機能を持つ。また、ルータ１３，２３，３３，４３は自分の対応しているプロトコル以外のデータはすべて破棄する。よって、特定ＩＰ網９０の外部からの第三者の間違い電話や迷惑電話はシャットアウトされる。
【００５４】
ランプ１６，２６，３６，４６、ブザー１７，２７，３７，４７及びバイブレータ１８，２８，３８，４８は、利用者の身の回りに設置され、通信システムの機能のひとつである電子メールの受信が行われた際に作動する。具体的には、端末機１，２，３，４が電子メールを受信すると、ランプ１６，２６，３６，４６が点灯或いは点滅し、ブザー１７，２７，３７，４７が鳴り、バイブレータ１８，２８，３８，４８が振動する。これにより、視覚、聴覚、触覚を通じて利用者に電子メールが届いていることをいち早く知らせることができる。ランプ１６，２６，３６，４６、ブザー１７，２７，３７，４７、バイブレータ１８，２８，３８，４８は、本実施の形態のように併用される構成であっても、いずれか１つが単独で用いられる構成であってもよい。
【００５５】
入力手段としてのマウス機能付テンキー装置１５，２５，３５，４５は、図３に示すように、家電量販店等で普通に売られている汎用パーソナルコンピュータ向けのテンキー付マウス（所謂テンキーマウス）であって、０〜９の１０個のボタンと、左クリックボタン６９、右クリックボタン７０、ホイール７１、「０００」ボタンや「Ｅｎｔｅｒ」ボタンなどを有する。このように、パソコン向けに市販されているテンキー付マウスを入力装置として流用することができるため、製造コストを抑えることができるとともに、故障しても容易に取替えを行うことができる。なお、マウス機能付テンキー装置１５，２５，３５，４５は、家電量販店等で普通に売られている汎用パーソナルコンピュータ向けのテンキー装置を改造してマウス機能を付加したもの、或いは同様にして売られているマウスを改造してテンキー機能を付加したものであってもよい。
【００５６】
本実施の形態においては、マウス機能付テンキー装置１５，２５，３５，４５を有線で端末機１，２，３，４に接続しているため、テレビのリモコンの無線電波と混線することがない。なお、マウス機能付テンキー装置１５，２５，３５，４５を無線で端末機１，２，３，４に接続する構成であってもよい。そして、利用者がテレビ電話等の後述する各メニューを利用する際、このマウス機能付テンキー装置１５，２５，３５，４５に設けられたボタンで全ての動作を実行することができるようにプログラムが構成されている。
【００５７】
図１に戻って、広域インターネット網９１には、ルータ５３を介してウェブサーバ５が接続されるとともに、携帯電話６や汎用パーソナルコンピュータ（パソコン）７、タブレットＰＣ８等の情報端末が接続される。特定ＩＰ網９０はこのような広域インターネット網９１と接続しているため、携帯電話６やパソコン７、タブレットＰＣ８等の情報端末の利用者はもとより、端末１０，２０，３０，４０の利用者も広域インターネット網９１に侵入して、インターネット上のウェブサイトを閲覧したり、電子メールを送受信したりすることが可能である。
【００５８】
図４において、テレビ１１，２１，３１，４１にはマウス機能付テンキー装置１５，２５，３５，４５のテンキー部分のボタン配列（図３参照）と同じ配列で並び、個々が対応するメニューを表示する複数の分割画面が映し出される。具体的には、マウス機能付テンキー装置１５，２５，３５，４５の「１」ボタン、「２」ボタン、「３」ボタン、「４」ボタン、「５」ボタン、「Ｎｕｍ  Ｌｏｃｋ」ボタン、「ＢＳ」ボタンに夫々対応する分割画面には、順に「インターネット」、「けいじばん」、「テレビでんわ」、「おはなしひろば」、「れんらくメール」、「そうだんまどぐち」、「きんきゅうつうほう」のメニューが表示されている。これにより、端末機１０，２０，３０，４０の利用者が高齢者や子供であっても、どのボタンがどのメニューに対応しているのかが一目瞭然である。
【００５９】
そして、テレビ１１，２１，３１，４１に表示される複数の分割画面のいくつかは、対応するボタンが押されると、その分割画面のメニューに対応する複数のメニューが、複数の分割画面としてテレビ１１，２１，３１，４１に表示されるようになっている。例えば、マウス機能付テンキー装置１５，２５，３５，４５の「３」ボタンを押して、「テレビでんわ」を選択・確定した場合には、図５に示すようなテレビ電話の相手を選択するための複数の分割画面が表示される。このように、１つのメニュー（分割画面）に複数のメニュー（分割画面）を対応させていくことで、利用者の選択の幅を容易に広げることができる。ここで、「テレビでんわ」とは２元テレビ電話を指す。
【００６０】
なお、図４に示す選択前の画面と、図５に示す選択後の画面は、異なる態様で表示される。具体的には、背景の色、文字の色、文字の大きさ、文字の書体、画面の配置等のいくつかの点で両者の態様が相違するようにされている。これにより、利用者に画面が切り替わったことを視認させることができるので、利用者の操作ミスを低減させることができる。
【００６１】
また、先の例で、マウス機能付テンキー装置１５，２５，３５，４５の「３」ボタンが押されて図４の「テレビでんわ」が選択・確定されると、「テレビでんわ」を表示した分割画面が、他の分割画面と異なる態様で表示された後に、図５に示す画面に切り替わるようにされている。具体的には、選択・確定された分割画面と他の分割画面とは、背景の色、文字の色、文字の大きさ、文字の書体、画面の配置等のいくつかの点でその態様が相違するようにされている。これにより、利用者にとって、どのメニューを選択・確定したのかが一目瞭然である。
【００６２】
次に、各メニューを１つ１つ具体的に説明する。ここで、端末２０，３０，４０を家庭で利用する者を家庭側利用者と呼び、端末１０をセンターで利用する者をセンター側利用者と呼び、両者を端末機の利用者又は利用者と呼ぶ。また、「えーさん」は端末２０の利用者であり、「びーさん」は端末３０の利用者であり、甲は端末４０の利用者であり、「センター」の人は端末１０の利用者であるものとする。
【００６３】
まず、利用者が図４に示す一番はじめの画面において、「テレビでんわ」を選択した場合について説明する。利用者が手元のマウス機能付テンキー装置の「３」ボタンを押すと、図５に示すような、マウス機能付テンキー装置のテンキー部分のボタン配列と同じ配列で並び、個々が対応するメニューを表示する複数の分割画面が表示された画面に切り替わる。テレビ電話の相手（接続先）は予めプリセットされており、本実施の形態においては、家庭側利用者である甲（以下、単に甲という）のテレビ電話の相手は、センター側利用者である「センター」の人、家庭側利用者である「えーさん」、「びーさん」である。また、「おはなしひろば」においては、センター側の端末１０のサーバ付端末機１が接続先となっている。ここで、「おはなしひろば」とは、多元テレビ電話を指す。
【００６４】
甲は「センターにでんわ」、「えーさんにでんわ」、「びーさんにでんわ」、「おはなしひろば」のいずれかを、マウス機能付テンキー装置の「１」〜「４」ボタンを用いて選択・確定することができる。このように、マウス機能付テンキー装置のテンキー部分の操作が単純で、その操作方法も明快であるため、利用者が高齢者や子供であっても、とっつきやすい。
【００６５】
ここで、甲が例えばマウス機能付テンキー装置４５の「１」ボタンを押して「センターにでんわ」を選択・確定した場合、甲の端末４０の端末機４が特定ＩＰ網９０を介してセンター側の端末１０のサーバ付端末機１に接続し、サーバ付端末機１から非固定ＩＰアドレスを取得する。このように、サーバ付端末機１のサーバ機能を利用することにより、甲の端末４０とセンター側の端末１０との回線が繋がって、図６に示すような３分割画面に切り替わり、センターの人の映像を映した大画面９２と、自分（甲）の映像を映した小画面９３と、「おわる」を表示した分割画面９８とがテレビ画面に表示される。そして、甲はテレビ４１とマイクロフォン４４とカメラ４２を用いてセンターの人と２元テレビ電話を行うことができる。このように、端末機の利用者はマウス機能付テンキー装置を用いて接続先となる端末機のいずれかを選択する簡単な操作により、選択された端末機と２元テレビ電話を行うことができる。よって、全くパソコンの知識がない高齢者や子供等であっても２元テレビ電話を楽しむことができる。
【００６６】
２元テレビ電話の相手として家庭側利用者である「えーさん」、「びーさん」を選択した場合、サーバ付端末機１から非固定ＩＰアドレスを取得した甲の端末４０と、同じく非固定ＩＰアドレスを取得した家庭側の端末２０，３０との回線がサーバ付端末機１のサーバ機能によって繋がって、「センター」の人と２元テレビ電話を行う場合と同様に、２元テレビ電話を行うことができる。また、センター側利用者も同様にして、予めプリセットされたテレビ電話の相手（接続先）と２元テレビ電話を行うことができる。２元テレビ電話を終わる場合には、「おわる」を表示した分割画面９８に対応した「Ｅｎｔｅｒ」ボタンを押すか、後述する「Ｄｅｌ」ボタンを押す。多元テレビ電話である「おはなしひろば」については後述する。
【００６７】
また、甲がテレビ電話を行った旨を記した、例えば「１３：４２  ＊＊＊町＊丁目の甲さんがテレビ電話を行いました」という定型文からなる電子メールが、甲が利用する端末機４から、予め登録しておいた他の端末機１，２，３や、パソコン７、携帯電話６といった情報端末に送信される。これにより、例えば甲が高齢者である場合に、テレビ電話の利用の情報を離れて暮らす親族や福祉関係者が電子メールで知ることで、甲の様子を窺い知ることができる。
【００６８】
次に、利用者が図４に示す一番はじめの画面において、「おはなしひろば」を選択した場合、或いは、図５に示すテレビ電話の相手を選択する画面において、「おはなしひろば」を選択した場合について説明する。利用者が図４の画面において手元のマウス機能付テンキー装置の「４」ボタンを押すか、図５に示す画面において手元のマウス機能付テンキー装置の「４」ボタンを押すと、図７に示すような、５分割された画面に切り替わる。５分割された画面のうち、４つは映像が表示される分割画面９４であり、１つは「おわる」を表示した分割画面９８である。４元テレビ電話の相手（接続先）は予めプリセットされており、本実施の形態においては、甲の４元テレビ電話の相手は、予め家庭側利用者である「えーさん」、「びーさん」と、センター側利用者である「センター」の人にプリセットされている。そして、甲、「えーさん」、「びーさん」の各々の端末機２，３，４が特定ＩＰ網９０を介してセンター側の端末１０のサーバ付端末機１にアクセスするとともに、「センター」の人がサーバ付端末機１を利用することで、最大４人で４元テレビ電話を行うことができる。このように、端末機の利用者はマウス機能付テンキー装置を用いてサーバ付端末機１へのアクセスを選択する簡単な操作により、複数の端末機１，２，３，４のうちの複数台と多元テレビ電話を行うことができる。よって、全くパソコンの知識がない高齢者や子供等であっても複数人と同時にテレビ電話を楽しむことができる。
【００６９】
なお、多元テレビ電話は４元に限定されるものではなく、多元テレビ電話の参加者を増やすことで５元、６元のテレビ電話としたり、逆に多元テレビ電話の参加者を減らすことで３元のテレビ電話としたりすることも可能である。また、この４元テレビ電話の参加者は、この４元テレビ電話への参加が自由であり、必ずしも参加しなくてもよい。よって、参加者が２人以上いれば、４元テレビ電話は２元乃至４元で実行可能である。また、センター側利用者も同様にして、予めプリセットされた接続先の３人と４元テレビ電話を行うことができる。
【００７０】
また、甲が多元テレビ電話を行った旨を記した、例えば「１０：３６  ＊＊＊町＊丁目の甲さんがテレビ電話を行いました」という定型文からなる電子メールが、甲が利用する端末機４から、予め登録しておいた他の端末機１，２，３や、パソコン７、携帯電話６といった情報端末に送信される。これにより、例えば甲が高齢者である場合に、テレビ電話の利用の情報を離れて暮らす親族や福祉関係者が電子メールで知ることで、甲の様子を窺い知ることができる。
【００７１】
次に、利用者が図４に示す一番はじめの画面において、「インターネット」を選択した場合について説明する。利用者が手元のマウス機能付テンキー装置の「１」ボタンを押すと、図８に示すような、マウス機能付テンキー装置のテンキー部分のボタン配列と同じ配列で並び、個々が対応するメニューを表示する複数の分割画面が表示された画面に切り替わる。インターネットの接続先となるウェブサイトのアドレスは予めプリセットされているため、利用者はアドレスを入力するという煩雑な作業を行わなくて済む。
【００７２】
本実施の形態においては、甲は「長男のホームページ」、「長女のホームページ」、「えーさんのホームページ」、「しゅみのホームページ」、「けんこうかんれんのホームページ」、「びーさんのホームページ」のいずれかを、マウス機能付テンキー装置４５の「１」〜「６」ボタンを用いて選択・確定することができるようにされている。
【００７３】
ここで、甲が例えばマウス機能付テンキー装置４５の「４」ボタンを押して「しゅみのホームページ」を選択・確定した場合、図９に示すような画面に切り替わり、甲は「スポーツのホームページ」、「囲碁のホームページ」、「将棋のホームページ」、「おどりのホームページ」、「ゲームのホームページ」のいずれかを、マウス機能付テンキー装置４５の「１」〜「５」ボタンを用いて選択・確定することができるようになる。そして、甲が、例えばマウス機能付テンキー装置４５の「２」ボタンを押して「囲碁のホームページ」を選択・確定した場合には、端末機４は広域インターネット網９１を介してインターネット上の複数のウェブサイトのうち予めアドレスがプリセットされた図１０に示す囲碁のホームページに接続し、テレビ画面９７にはその囲碁のホームページのウェブサイト画面１１０が表示される。また、テレビ画面９７には、ウェブサイト画面１１０の他に「おわる」を表示した分割画面９８が右下に表示されているため、甲は「おわる」の分割画面９８に対応した「Ｅｎｔｅｒ」ボタンを押すことで、図４に示す一番はじめの画面に戻ることができる。後述の「Ｄｅｌ」ボタンを押した場合も同様である。
【００７４】
また、甲が図１０に示すような「インターネット」を実行中に、マウス機能付テンキー装置４５が有するマウス機能、具体的にはホイール７１や左クリックボタン６９を用いて、ウェブサイト画面１１０の画面を上下左右にスクロールさせることができるようにされている。よって、甲はインターネットを十分に楽しむことができる。また、マウス機能付テンキー装置４５が有するマウス機能を用いて、ウェブサイト画面１１０に表示されたカーソル１１１を自在に動かすことができるようにされている。そして、左クリックボタン６９を押すことで、カーソル１１１が示すリンク先にアクセスすることができるようにされている。これにより、リンク先のサイトに次々にアクセスしていくことができるため、利用者のアクセス自由度が広がる。なお、右クリックボタン７０の機能は任意に設定すればよく、例えば、後述の「Ｄｅｌ」ボタンと同じ機能であってもよい。
【００７５】
このように、利用者はマウス機能付テンキー装置を用いて接続先となるウェブサイトのいずれかを選択する簡単な操作により、選択されたウェブサイトを閲覧することができる。よって、全くパソコンの知識がない高齢者や子供等であってもインターネットを楽しむことができる。また、センター側利用者も同様にして、端末機１から広域インターネット網９１を介して、予めアドレスがプリセットされた複数のウェブサイトのうちの選択先のウェブサイトを閲覧することができる。
【００７６】
なお、テレビ画面９７全体にウェブサイト画面１１０が表示され、「おわる」を表示した分割画面９８がウェブサイト画面１１０に重畳されて表示される構成であってもよい。
【００７７】
また、甲がインターネットを行った旨を記した、例えば「１４：０８  ＊＊＊町＊丁目の甲さんがインターネットを利用しました」という定型文からなる電子メールが、甲が利用する端末機４から、予め登録しておいた他の端末機１，２，３や、パソコン７、携帯電話６といった情報端末に送信される。これにより、例えば甲が高齢者である場合に、インターネットの利用の情報を離れて暮らす親族や福祉関係者が電子メールで知ることで、甲の様子を窺い知ることができる。
【００７８】
次に、家庭側利用者が図４に示す一番はじめの画面において、「けいじばん」を選択した場合について説明する。家庭側利用者が手元のマウス機能付テンキー装置の「２」ボタンを押すと、図１１に示すような、マウス機能付テンキー装置のテンキー部分のボタン配列と同じ配列で並び、個々が対応するメニューを表示する複数の分割画面が表示された画面に切り替わる。ここで、「けいじばん」とはインターネット上の掲示板として運営されているウェブサイトのみを接続先とするインターネットの一種である。
【００７９】
「けいじばん」の接続先となるウェブサイトのアドレスは、「インターネット」と同様に、予めプリセットされているため、利用者はアドレスを入力するという煩雑な作業を行わなくて済む。本実施の形態においては、甲は「やくばからのれんらく」、「きゅうしょくのメニュー」、「センターのカレンダー」、「やくばのサービス」、「やくばからのきんきゅうつうほう」のいずれかを、マウス機能付テンキー装置４５の「１」〜「５」ボタンを用いて選択・確定することができるようにされている。
【００８０】
ここで、甲がマウス機能付テンキー装置４５の「１」ボタンを押して「やくばからのれんらく」を選択・確定した場合、甲の利用する端末機４は広域インターネット網９１を介して、自治体のホームページ上の掲示板として運営されているウェブサイトに接続し、図１２に示すように、その掲示板の掲示画面９６がテレビ画面９７に表示される。テレビ画面９７には、掲示画面９６の他に「おわる」を表示した分割画面９８が右下に表示されているため、甲は「おわる」の分割画面９８に対応した「Ｅｎｔｅｒ」ボタンを押すことで、図４に示す一番はじめの画面に戻ることができる。後述の「Ｄｅｌ」ボタンを押した場合も同様である。
【００８１】
また、図１１において、甲がマウス機能付テンキー装置４５の「２」ボタンを押して「きゅうしょくのメニュー」を選択・確定した場合、同様にして図１３に示すような、給食センターが運営するホームページ上の掲示画面９６がテレビ画面９７に表示される。また、図１１において、甲がマウス機能付テンキー装置４５の「３」ボタンを押して「センターのカレンダー」を選択・確定した場合、マウス機能付テンキー装置４５の「４」ボタンを押して「やくばのサービス」を選択・確定した場合、マウス機能付テンキー装置４５の「５」ボタンを押して「やくばからのきんきゅうつうほう」を選択・確定した場合には、夫々同様にして図１４、図１５、図１６に示すような、センター或いは自治体が運営するホームページ上の掲示画面９６がテレビ画面９７に表示される。甲はこれらのウェブサイトを閲覧することで、家庭に居ながらにして様々な有用な情報を得ることができる。また、センター側利用者も同様にして、予めアドレスがプリセットされたホームページ上の掲示板を閲覧することができる。
【００８２】
なお、テレビ画面９７全体に掲示画面９６が表示され、「おわる」を表示した分割画面９８が掲示画面９６に重畳されて表示される構成であってもよい。
【００８３】
また、甲がインターネット上の掲示板を閲覧した旨を記した、例えば「０８：４５  ＊＊＊町＊丁目の甲さんが給食のメニューのページを閲覧しました」という定型文からなる電子メールが、甲が利用する端末機４から、予め登録しておいた他の端末機１，２，３や、パソコン７、携帯電話６といった情報端末に送信される。これにより、例えば甲が高齢者である場合に、インターネットの利用の情報を離れて暮らす親族や福祉関係者が電子メールで知ることで、甲の様子を窺い知ることができる。
【００８４】
次に、利用者が図４に示す一番はじめの画面において、「れんらくメール」を選択した場合について説明する。図４において利用者が手元のマウス機能付テンキー装置の「５」ボタンを押すと、図１７に示すような、マウス機能付テンキー装置のテンキー部分のボタン配列と同じ配列で並び、個々が対応するメニューを表示する複数の分割画面が表示された画面に切り替わる。ここで、「れんらくメール」とは電子メールの送信行為を指す。「れんらくメール」の送信先は予め決められているため、利用者はメールアドレスを入力するという煩雑な作業を行わなくて済む。また、電子メールの文言も予め決められているため、利用者はメールの内容を入力するという煩雑な作業を行わなくて済む。
【００８５】
本実施の形態においては、甲は「ほうもんにゅうよく」、「ほうもんかいご」、「ヘルパーをよぶ」、「ひるごはんのちゅうもん」、「ゆうごはんのちゅうもん」、「あすのあさごはんのちゅうもん」、「ちょうなんにれんらく」、「えーさんにれんらく」、「きゅうきゅうしゃをよぶ」のいずれかを、マウス機能付テンキー装置４５の「１」〜「９」ボタンを用いて選択・確定することができるようにされている。
【００８６】
そして、甲が「ほうもんにゅうよく」、「ほうもんかいご」、「ヘルパーをよぶ」のいずれかを選択すると、その旨の文言、例えば「私は＊＊＊町＊丁目の甲です。訪問入浴をお願いします」等の電子メールが介護関連施設に送信される。よって、甲は、電話やファクシミリ等の通信手段で煩わしい連絡を行わなくても、介護関連施設からの介護サービスを受けることができる。
【００８７】
また、甲が「ひるごはんのちゅうもん」、「ゆうごはんのちゅうもん」、「あすのあさごはんのちゅうもん」のいずれかを選択すると、その旨の文言、例えば「私は＊＊＊町＊丁目の甲です。夕御飯を注文します」等の電子メールが給食センターに送信される。よって、甲は、電話やファクシミリ等の通信手段で煩わしい連絡を行わなくても、給食センターからの給食サービスを受けることができる。
【００８８】
また、甲が「ちょうなんにれんらく」を選択すると、その旨の文言、例えば、「父さんです。電話ください」等の電子メールが甲の子供（長男）の携帯電話に送信される。よって、甲は、甲の子供が勤務先にいたとしても、休み時間などに甲に電話させることによって、比較的早くコミュニケーションを行うことができる。
【００８９】
また、甲が「えーさんにれんらく」を選択すると、その旨の文言、例えば、「甲です。テレビ電話しましょう」等の電子メールが、「えーさん」側の端末機２に送られる。よって、甲は、電話やファクシミリ等の通信手段で煩わしい連絡を行わなくても、「えーさん」にテレビ電話によるコミュニケーションを働きかけることができる。
【００９０】
また、甲が「きゅうきゅうしゃをよぶ」を選択すると、その旨の文言、例えば、「私は＊＊＊町＊丁目の甲です。至急救急車を遣してください」等の電子メールが消防署に送信される。よって、甲は、非常事態で電話が困難な状況において「１１９」番通報を行わなくても、消防署からの対応を受けることができる。これにより、利用者は、異常時にすぐに助けを求めることができるという安心感を持って生活を送ることができる。
【００９１】
なお、甲が給食センターと毎食の給食の契約をしている場合、毎度給食センターに電子メールを送信するのは面倒なため、「ひるごはんのちゅうもん」、「ゆうごはんのちゅうもん」、「あすのあさごはんのちゅうもん」に代えて、「ひるごはんのちゅうもんをことわる」、「ゆうごはんのちゅうもんをことわる」、「あすのあさごはんのちゅうもんをことわる」として、注文を断る場合にのみ電子メールを給食センターに送信するようにしても良い。
【００９２】
このように、利用者はマウス機能付テンキー装置を用いて送信先となるメールアドレスのいずれかを選択する簡単な操作により、選択されたメールアドレスに電子メールを送信することができる。よって、全くパソコンの知識がない高齢者や子供等であっても電子メールを楽しむことができる。センター側利用者も同様にして、予め文言が決められた電子メールを予め決められた送信先に送信することができる。
【００９３】
また、甲が電子メールを送信した旨を記した、例えば「１７：２９  ＊＊＊町＊丁目の甲さんが明日の朝食を注文しました」という定型文からなる電子メールが、甲が利用する端末機４から、予め登録しておいた他の端末機１，２，３や、パソコン７、携帯電話６といった情報端末に送信される。これにより、例えば甲が高齢者である場合に、電子メールの利用の情報を離れて暮らす親族や福祉関係者が電子メールで知ることで、甲の様子を窺い知ることができる。
【００９４】
次に、利用者が図４に示す一番はじめの画面において、「そうだんまどぐち」を選択した場合について説明する。図４において利用者が手元のマウス機能付テンキー装置の「Ｎｕｍ  Ｌｏｃｋ」ボタンを押すと、現在の通信システムの利用状況の如何に関わらず、カウンセラーとのテレビ電話が実行されるようにされている。即ち、「そうだんまどぐち」は「テレビでんわ」の一種であって、接続先が２４時間体制で待機するカウンセラーに特定され、ボタンひとつで実行されるテレビ電話である。よって、端末機の電源が入っている限り、現在行われているメニューや「そうだんまどぐち」画面がテレビ１１，２１，３１，４１に表示されているかといったことに関わらず、「Ｎｕｍ  Ｌｏｃｋ」ボタンを押せば、カウンセラーとテレビ電話を行うことができる。
【００９５】
なお、図１に図示していないが、カウンセラー側にも特定ＩＰ網９０に接続する端末が備わっている。利用者は、図６に示すような画面において、テレビ電話を通じてカウンセラーに、生活や健康についての相談を行ったり、悩み事を打ち明けたりすることができるため、メンタル面のケアを、家庭に居ながら２４時間いつでも受けることができる。
【００９６】
また、利用者が甲である場合において、甲がカウンセラーとテレビ電話を行った旨を記した、例えば「２２：１４  ＊＊＊町＊丁目の甲さんがカウンセリングを受けられました」という定型文からなる電子メールが、甲が利用する端末機４から、予め登録しておいた他の端末機１，２，３や、パソコン７、携帯電話６といった情報端末に送信される。これにより、甲がカウンセリングを受けた情報を離れて暮らす親族や福祉関係者が電子メールで知ることで、甲の様子を窺い知ることができる。
【００９７】
次に、利用者が図４に示す一番はじめの画面において、「きんきゅうつうほう」を選択した場合について説明する。図４において利用者が手元のマウス機能付テンキー装置の「ＢＳ」ボタンを押すと、現在の通信システムの利用状況の如何に関わらず、緊急連絡先に電子メールが送信されるようにされている。即ち、「きんきゅうつうほう」は「れんらくメール」の一種であって、緊急通報機能に特化したものである。よって、端末機の電源が入っている限り、現在行われているメニューや「きんきゅうつうほう」画面がテレビ１１，２１，３１，４１に表示されているかといったことに関わらず、「ＢＳ」ボタンを押せば、緊急連絡先に電子メールが送信される。また、送信される電子メールの文言は予め決められているので、緊急時に煩わしい入力作業を行う必要はない。このように、端末機の利用者は、いざというときに緊急通報としての電子メールをボタンひとつで緊急連絡先に送信することができるため、緊急連絡先からの迅速な対応を受けることができる。
【００９８】
この電子メールの送信先となる緊急連絡先は予め決められており、例えば、医療機関、福祉関連施設、介護関連施設、親族、警察署、消防署、自治体のすくなくとも１つである。これにより、利用者は、異常時にすぐに助けを求めることができるという安心感を持って生活を送ることができる。本実施の形態において、甲の緊急連絡先は消防署である。甲が「ＢＳ」ボタンを押すと、例えば「私は＊＊＊町＊丁目の甲です。心臓病の発作が起こりましたので、至急救急車を遣してください」といった内容の電子メールが消防署に送信される。これにより、甲の身に異常が生じた場合に、甲はその情報をボタンひとつで緊急連絡先である消防署にいち早く知らせることができるため、それを受けた消防署の者は、素早く甲への対処を行うことができる。
【００９９】
また、甲が緊急通報の電子メールを送信した旨を記した、例えば「１７：２９  ＊＊＊町＊丁目の甲さんが緊急通報を行いました」という定型文からなる電子メールが、甲が利用する端末機４から、予め登録しておいた他の端末機１，２，３や、パソコン７、携帯電話６といった情報端末に送信される。これにより、甲が緊急通報を発信した情報を離れて暮らす親族や福祉関係者が電子メールで知ることで、甲への対処を迅速に行うことができる。
【０１００】
また、甲が送信した電子メールのうち、特定の送信先のもの、例えば、上述した「れんらくメール」における消防署への電子メールや、「きんきゅうつうほう」による緊急連絡先への電子メールは、特定ＩＰ網９０経由でセンターにも送信されるようにされている。よって、センター側の者も、緊急連絡先の者と同様に、素早く甲への対処を行うことができる。
【０１０１】
以上、説明してきた端末機１，２，３，４は、固有のメールアドレスを有している。よって、他の端末機１，２，３，４から送信された電子メールを特定ＩＰ網９０を介して、パソコン７、携帯電話６といった情報端末から送信された電子メールを広域インターネット網９１、特定ＩＰ網９０を介して、夫々受信することができる。
【０１０２】
電子メールの受信は、現在の通信システムの利用状況の如何に関わらず行われる。よって、例えば図４の一番はじめの画面において、電子メールを受信した場合には、図１８に示すように、テレビ画面の中央に電子メールが届いた旨と電子メールの内容とを表示したウィンドウ９５が表示される。本実施の形態においては、高齢者である甲の子供からの電子メールを受信した場合を図示しているが、自治体からの避難勧告等の旨の電子メールであってもよい。
【０１０３】
また、電子メールの受信と同時に、甲が利用する端末機４に接続されたランプ４６、ブザー４７、バイブレータ４８が作動して、視覚、聴覚、触覚を通じて甲に電子メールが届いていることを報知する。
【０１０４】
このように、端末機が電子メールの受信機能を備えていることにより、例えば甲が高齢者である場合に、離れて暮らす親族や友人、福祉関係者が甲に電子メールを送ることで、甲にコミュニケーションを働きかけることができる。また、自治体が甲を含めた利用者に災害等の緊急通報を電子メールでいち早く知らせることにより、甲を含めた利用者に避難等の対応を素早く行わせることができる。
【０１０５】
また、このような端末機１，２，３，４においては、現在の通信システムの利用状況の如何に関わらず、マウス機能付テンキー装置１５，２５，３５，４５の「Ｄｅｌ」ボタンを押すことで、テレビ１１，２１，３１，４１に現在表示されている画面（選択後の状態の画面）よりも前の画面（選択前の状態の画面）に表示を強制的に戻すことができるようにされている。ここで、前の画面は、図４に示す一番はじめの画面であっても、図５，図８，図９，図１１，図１７に示す画面であってもよい。このような戻り機能により、全くパソコンの知識がない高齢者や子供であっても、容易に選択をやり直すことができる。なお、前の画面に戻るための強制的なボタンは「Ｄｅｌ」ボタンに限定されるものではない。
【０１０６】
更に、図５〜図１７に示す画面には、「おわる」または「もどる」を表示する分割画面９８が、これに対応する「Ｅｎｔｅｒ」ボタンとともに表示されるようにされている。これにより、利用者が選択をやり直したいときに、「Ｅｎｔｅｒ」ボタンが分割画面９８に表示されているため、操作に迷うことがない。なお、「おわる」または「もどる」に対応するボタンは「Ｅｎｔｅｒ」ボタンに限定されるものではない。
【０１０７】
また、本実施の形態においては、カメラ、マイクロフォン、マウス機能付テンキー装置のいずれかによる入力、且つ、ランプ、ブザー、バイブレータのいずれかからの出力が１分間なされなかった場合に、自動的に図４に示す一番はじめの画面に戻るようにされている。よって、利用者が全くパソコンの知識がない高齢者や子供であっても、１分間入出力を行わないことで、容易に選択前の状態に戻って、選択をやり直すことができる。
【０１０８】
以上説明してきた端末機１，２，３，４を常時電源が入った状態にしておくことで、利用者は上述したメニューをいつでも利用することができる。
【０１０９】
以上のように、本実施の形態の通信システムの端末機は、全くパソコンの知識がない者であっても、手元のマウス機能付テンキー装置のボタン操作だけで通信システムの様々なメニューを利用することができる様に工夫されている。その結果、高齢者や子供であっても手軽に通信システムを活用できて、利用の機会が必然的に多くなるため、一種の監視システムとして適したシステムとすることができる。
【０１１０】
具体的には、本実施の形態の通信システムの端末機は、複数の端末機１，２，３，４との間で情報を送受信することが可能な通信システムの端末機であって、複数の端末機１，２，３，４のうち接続先となる端末機のインターネットプロトコルアドレスがプリセットされ、接続先となる端末機のインターネットプロトコルアドレスが割り当てられたテンキー装置（マウス機能付テンキー装置）１５，２５，３５，４５が接続され、接続先となる端末機のうちテンキー装置１５，２５，３５，４５により選択された端末機とテレビ電話を行うことが可能な構成にされている。これによると、端末機の利用者はテンキー装置１５，２５，３５，４５を用いて接続先となる端末機のいずれかを選択する簡単な操作により、選択された端末機とテレビ電話を行うことができる。よって、全くパソコンの知識がない高齢者や子供等であってもテレビ電話を楽しむことができる。
【０１１１】
また、本実施の形態の通信システムの端末機は、複数の端末機との間で情報を送受信することが可能な通信システムの端末機であって、通信システムのサーバのインターネットプロトコルアドレスがプリセットされ、通信システムのサーバのインターネットプロトコルアドレスが割り当てられたテンキー装置（マウス機能付テンキー装置）１５，２５，３５，４５が接続され、テンキー装置１５，２５，３５，４５により通信システムのサーバへのアクセスを選択することで、複数の端末機１，２，３，４のうちの複数台と同時にテレビ電話を行うことが可能な構成にされている。これによると、端末機の利用者はテンキー装置１５，２５，３５，４５を用いて通信システムのサーバへのアクセスを選択する簡単な操作により、複数の端末機１，２，３，４のうちの複数台と同時にテレビ電話を行うことができる。よって、全くパソコンの知識がない高齢者や子供等であっても複数人と同時にテレビ電話を楽しむことができる。
【０１１２】
また、本実施の形態の通信システムの端末機は、テレビ電話を行った旨を記した定型文からなる電子メールを予め登録した他の端末機や情報端末に送信する構成にされている。これによると、例えば端末機の利用者が高齢者である場合に、テレビ電話の利用の情報を離れて暮らす親族や福祉関係者が電子メールで知ることで、高齢者の様子を窺い知ることができる。
【０１１３】
また、本実施の形態の通信システムの端末機は、複数の端末機１，２，３，４との間で情報を送受信することが可能な通信システムの端末機であって、インターネット上の複数のウェブサイトのうち接続先となるウェブサイトのアドレスがプリセットされ、接続先となるウェブサイトのアドレスが割り当てられたテンキー装置（マウス機能付テンキー装置）１５，２５，３５，４５が接続され、接続先となるウェブサイトのうちテンキー装置１５，２５，３５，４５により選択されたウェブサイトを閲覧することが可能な構成にされている。これによると、端末機の利用者はテンキー装置１５，２５，３５，４５を用いて接続先となるウェブサイトのいずれかを選択する簡単な操作により、選択されたウェブサイトを閲覧することができる。よって、全くパソコンの知識がない高齢者や子供等であってもインターネットを楽しむことができる。
【０１１４】
また、本実施の形態の通信システムの端末機は、選択されたウェブサイトの閲覧を行った旨を記した定型文からなる電子メールを予め登録した他の端末機や情報端末に送信する構成にされている。これによると、例えば端末機の利用者が高齢者である場合に、インターネットの利用の情報を離れて暮らす親族や福祉関係者が電子メールで知ることで、高齢者の様子を窺い知ることができる。
【０１１５】
また、本実施の形態の通信システムの端末機は、複数の端末機１，２，３，４との間で情報を送受信することが可能な通信システムの端末機であって、送信先となるメールアドレスがプリセットされ、送信先となるメールアドレスが割り当てられたテンキー装置（マウス機能付テンキー装置）１５，２５，３５，４５が接続され、送信先となるメールアドレスのうちテンキー装置１５，２５，３５，４５により選択されたメールアドレスに電子メールを送信することが可能な構成にされている。これによると、端末機の利用者は入力装置を用いて送信先となるメールアドレスのいずれかを選択する簡単な操作により、選択されたメールアドレスに電子メールを送信することができる。よって、全くパソコンの知識がない高齢者や子供等であっても電子メールを楽しむことができる。
【０１１６】
また、本実施の形態の通信システムの端末機においては、電子メールの文言は予め決められている構成にされている。これによると、伝えたい内容をボタンひとつで相手側に伝えることができるため、端末機の利用者は煩雑な入力作業を行わなくて済む。
【０１１７】
また、本実施の形態の通信システムの端末機は、選択されたメールアドレスに電子メールを送信した旨を記した定型文からなる電子メールを予め登録した他の端末機や情報端末に送信する構成にされている。これによると、例えば端末機の利用者が高齢者である場合に、電子メールの利用の情報を離れて暮らす親族や福祉関係者が電子メールで知ることで、高齢者の様子を窺い知ることができる。
【０１１８】
また、本実施の形態の通信システムの端末機において、送信先となるメールアドレスには、緊急連絡先のメールアドレスが含まれている構成にされている。これによると、端末機の利用者の身に異常が生じた場合に、端末機の利用者はその情報を緊急連絡先にいち早く知らせることができるため、それを受けた緊急連絡先の者は、素早く端末機の利用者への対処を行うことができる。
【０１１９】
また、本実施の形態の通信システムの端末機において、緊急連絡先には、医療機関、福祉関連施設、介護関連施設、親族、警察署、消防署、自治体のすくなくとも１つが含まれている構成にされている。これによると、端末機の利用者は、異常時にすぐに助けを求めることができるという安心感を持って生活を送ることができる。
【０１２０】
また、本実施の形態の通信システムの端末機において、テンキー装置（マウス機能付テンキー装置）１５，２５，３５，４５が、緊急連絡先に電子メールを送信するためのボタンを備えている構成にされている。これによると、端末機の利用者は、いざというときに緊急通報としての電子メールをボタンひとつで緊急連絡先に送信することができるため、緊急連絡先からの迅速な対応を受けることができる。
【０１２１】
また、本実施の形態の通信システムの端末機は、テンキー装置（マウス機能付テンキー装置）１５，２５，３５，４５によって選択された後の状態を選択前の状態に戻す戻り機能を備えている構成にされている。これによると、端末機の利用者は戻り機能によって選択前の状態に戻って、選択をやり直すことができる。
【０１２２】
また、本実施の形態の通信システムの端末機において、戻り機能が、テンキー装置（マウス機能付テンキー装置）１５，２５，３５，４５の操作によって実行される構成にされている。これによると、端末機の利用者が選択をやり直したいときに、入力装置を操作することで、強制的に選択前の状態に戻すことができる。
【０１２３】
また、本実施の形態の通信システムの端末機において、戻り機能を実行するためのテンキー装置（マウス機能付テンキー装置）１５，２５，３５，４５の操作方法が、通信システムの端末機１，２，３，４に接続されたテレビ１１，２１，３１，４１に表示される構成にされている。これによると、端末機の利用者が選択をやり直したいときに、選択前の状態に戻すための操作方法がテレビ１１，２１，３１，４１に表示されているため、操作に迷うことがない。
【０１２４】
また、本実施の形態の通信システムの端末機は、複数の端末機との間で情報を送受信することが可能な通信システムの端末機であって、固有のメールアドレスを有し、電子メールを受信することが可能な構成にされている。これによると、例えば端末機の利用者が高齢者である場合に、離れて暮らす親族や友人、福祉関係者が高齢者に電子メールを送ることで、高齢者にコミュニケーションを働きかけることができる。また、自治体が端末機の利用者に災害等の緊急通報を電子メールでいち早く知らせることにより、端末機の利用者に避難等の対応を素早く行わせることができる。
【０１２５】
また、本実施の形態の通信システムの端末機は、電子メールを受信した際に作動する光報知手段、音響報知手段、振動報知手段の少なくとも１つを備えている構成にされている。これによると、視覚、聴覚、触覚の少なくとも１つを通じて端末機の利用者に電子メールが届いていることをいち早く知らせることができる。
【０１２６】
また、本実施の形態の通信システムの端末機は、入力装置がテンキー装置（マウス機能付テンキー装置）１５，２５，３５，４５であり、通信システムの端末機に接続されたテレビ１１，２１，３１，４１には複数のメニューが表示され、テンキー装置１５，２５，３５，４５に備わったボタンのいずれかを選択することにより、選択されたボタンに対応するメニューを確定する構成にされている。これによると、パソコン向けに市販されているテンキー装置を入力装置として流用することができるため、製造コストを抑えることができるとともに、故障しても容易に取替えを行うことができる。また、テンキー装置１５，２５，３５，４５の操作が単純で、その操作方法も明快であるため、端末機の利用者が高齢者や子供であっても、とっつきやすいものとすることができる。
【０１２７】
また、本実施の形態の通信システムの端末機は、テンキー装置（マウス機能付テンキー装置）１５，２５，３５，４５がマウス機能を備えており、マウス機能により、テレビ１１，２１，３１，４１に表示された画面をスクロールさせること且つ／又はテレビ１１，２１，３１，４１に表示されたカーソルを移動させることが可能な構成にされている。これによると、例えばインターネットの画面を上下左右にスクロールさせることができたり、インターネットの画面に表示されるカーソルを自由に移動させて、リンク先のサイトに次々にアクセスしていくことができるため、端末機の利用者のアクセス自由度が広がり、端末機の利用者はインターネットを十分に楽しむことができる。また、マウス機能を備えたテンキー装置（マウス機能付テンキー装置）１５，２５，３５，４５がテンキー付マウスであれば、パソコン向けに市販されているものを流用することができるため、製造コストを抑えることができるとともに、故障しても容易に取替えを行うことができる。
【０１２８】
また、本実施の形態の通信システムの端末機において、テレビ１１，２１，３１，４１には、テンキー装置（マウス機能付テンキー装置）１５，２５，３５，４５のボタン配列と同じ配列で並び、個々が対応するメニューを表示する複数の分割画面が表示される構成にされている。これによると、テンキー装置１５，２５，３５，４５のボタン配列とテレビ１１，２１，３１，４１に表示された複数の分割画面の配列が同じであり、複数の分割画面のそれぞれには対応するメニューが表示されているため、端末機の利用者が高齢者や子供であっても、どのボタンがどのメニューに対応しているのかが一目瞭然であり、操作しやすい。
【０１２９】
また、本実施の形態の通信システムの端末機において、テレビ１１，２１，３１，４１に表示される複数のメニューのいずれかが確定されると、確定されたメニューに対応する複数のメニューがテレビ１１，２１，３１，４１に表示される構成にされている。これによると、１つのメニューに複数のメニューを対応させていくことで、端末機の利用者の選択の幅を容易に広げることができる。
【０１３０】
また、本実施の形態の通信システムの端末機において、テレビ１１，２１，３１，４１に表示される複数のメニュー（分割画面）のうち、選択先のメニュー（分割画面）が、他のメニュー（分割画面）と異なる態様で表示される構成にされている。これによると、端末機の利用者にとって、どのメニュー（分割画面）が現在選択されているのかが一目瞭然である。
【０１３１】
また、本実施の形態の通信システムの端末機において、テレビ１１，２１，３１，４１に表示される複数のメニュー（分割画面）のいずれかが確定されるごとに、テレビ１１，２１，３１，４１に表示される画面の態様が変化する構成にされている。これによると、端末機の利用者に画面が切り替わったことを視認させることができるので、端末機の利用者の操作ミスを低減させることができる。
【０１３２】
［第２の実施の形態］
本発明の第２の実施の形態に係る通信システムの端末機を図１９〜図２１に基づいて説明する。尚、第１の実施の形態と同一の部材には同一の符号を付記してその説明を省略する。第２の実施の形態の構成が第１の実施の形態の構成と異なる点は、図１９に示すように、入力装置１００が「上」、「右」、「下」、「左」の４つの矢印ボタン１０１，１０２，１０３，１０４と、選択対象を確定するための確定ボタン１０５と、強制的に前の画面に戻るための戻るボタン１０６と、緊急通報を行うための緊急ボタン１０７と、テレビ電話でカウンセリングを受けるための相談ボタン１０８とを備えている点である。
【０１３３】
入力装置１００の戻るボタン１０６は、第１の実施の形態のマウス機能付テンキー装置の「Ｄｅｌ」ボタンと同様の機能を有し、入力装置１００の緊急ボタン１０７は、第１の実施の形態のマウス機能付テンキー装置の「ＢＳ」ボタンと同様の機能を有し、入力装置１００の相談ボタン１０８は、第１の実施の形態のマウス機能付テンキー装置の「Ｎｕｍ  Ｌｏｃｋ」ボタンと同様の機能を有するため、これらの説明は省略する。なお、図６、図７、図１０、図１２〜図１６において、分割画面９８に表示されるボタンは、戻るボタン１０６や、矢印ボタン１０１，１０２，１０３，１０４のいずれかである。
【０１３４】
テレビには、図２０に示すように、左側に入力装置１００の各ボタンの機能説明を表示し、右側に縦横に並んだ複数のメニューを表示した、入力装置１００の操作に適した画面が表示される。利用者は「上」、「右」、「下」、「左」の４つの矢印ボタン１０１，１０２，１０３，１０４を押して、選択先となるメニュー２１１を移行させていく。選択先となるメニュー２１１は他のメニュー２０９と異なった態様で表示されるので、利用者にとって、どのメニューが現在選択先となっているのかが一目瞭然である。
【０１３５】
そして、利用者が例えば「テレビでんわ」を行いたい場合には、「テレビでんわ」のメニューを選択先のメニュー２１１として、他のメニュー２０９と異なった態様で表示させた後、確定ボタン１０５を押してそのメニューを確定する。これにより、図２１に示すようなテレビ電話の相手先を選択する画面に切り替わる。図２１に示す画面は、画面の配置等の点で図２０に示す画面と態様が異なっているため、利用者に画面が切り替わったことを視認させることができる。また、この画面には、「もどる」を表示した分割画面２１３が表示されている。利用者は、４つの矢印ボタン１０１，１０２，１０３，１０４を操作して、相手先を選択し、確定ボタン１０５を押すことで、図６又は図７に示した画面に移行して、２元又は４元のテレビ電話を行うことができる。このように、入力装置１００の操作が単純で、その操作方法も明快であるため、利用者が高齢者や子供であっても、とっつきやすい。
【０１３６】
また、利用者が図１０に示すような「インターネット」を実行中に、４つの矢印ボタン１０１，１０２，１０３，１０４を用いて、ウェブサイト画面１１０の画面を上下左右にスクロールさせることができるようにされている。よって、利用者はインターネットを十分に楽しむことができる。また、４つの矢印ボタン１０１，１０２，１０３，１０４を用いて、ウェブサイト画面１１０に表示されたカーソル１１１を自在に動かすことができるようにされている。そして、確定ボタン１０５を押すことで、カーソル１１１が示すリンク先にアクセスすることができるようにされている。これにより、リンク先のサイトに次々にアクセスしていくことができるため、利用者のアクセス自由度が広がる。
【０１３７】
その他の点については第１の実施の形態と同じであるため、その説明を省略する。
【０１３８】
以上のように、本実施の形態の通信システムの端末機は、入力装置１００が矢印ボタン１０１，１０２，１０３，１０４と確定ボタン１０５とを備えており、通信システムの端末機に接続されたテレビ１１，２１，３１，４１には複数のメニュー２０９が表示され、矢印ボタン１０１，１０２，１０３，１０４の操作により複数のメニュー２０９のいずれかを選択して、確定ボタン１０５で確定する構成にされている。これによると、入力装置１００の操作が単純で、その操作方法も明快であるため、端末機の利用者が高齢者や子供であっても、とっつきやすいものとすることができる。
【０１３９】
また、本実施の形態の通信システムの端末機において、矢印ボタン１０１，１０２，１０３，１０４は、テレビ１１，２１，３１，４１に表示された画面をスクロール可能である構成にされている。これによると、例えばインターネットの画面を上下左右にスクロールさせることができるため、端末機の利用者はインターネットを十分に楽しむことができる。
【０１４０】
また、本実施の形態の通信システムの端末機において、矢印ボタン１０１，１０２，１０３，１０４は、テレビ１１，２１，３１，４１に表示されたカーソル１１１を移動可能である構成にされている。これによると、例えばインターネットの画面に表示されるカーソルを自由に移動させて、リンク先のサイトに次々にアクセスしていくことができるため、端末機の利用者のアクセス自由度が広がる。
【０１４１】
［第３の実施の形態］
本発明の第３の実施の形態に係る通信システムの端末機の構成を図２２に基づいて説明する。尚、第１の実施の形態と同一の部材には同一の符号を付記してその説明を省略する。第３の実施の形態の構成が第１の実施の形態の構成と異なる点は、図２２に示すように、入力装置２００がジョイスティック２０１と、選択対象を確定するための確定ボタン２０５と、強制的に前の画面に戻るための戻るボタン２０６と、緊急通報を行うための緊急ボタン２０７と、テレビ電話でカウンセリングを受けるための相談ボタン２０８とを備えている点である。
【０１４２】
入力装置２００は、パソコン向けに市販されているボタン付きのジョイスティックを流用することができる場合があり、この場合には、製造コストを抑えることができるとともに、故障しても容易に取替えを行うことができる。この場合において、ジョイスティックに付属のボタンを確定ボタン２０５、戻るボタン２０６、緊急ボタン２０７、相談ボタン２０８として割り当てることができる。
【０１４３】
入力装置２００の戻るボタン２０６は、第１の実施の形態のマウス機能付テンキー装置の「Ｄｅｌ」ボタンと同様の機能を有し、入力装置２００の緊急ボタン２０７は、第１の実施の形態のマウス機能付テンキー装置の「ＢＳ」ボタンと同様の機能を有し、入力装置２００の相談ボタン２０８は、第１の実施の形態のマウス機能付テンキー装置の「Ｎｕｍ  Ｌｏｃｋ」ボタンと同様の機能を有するため、これらの説明は省略する。なお、図６、図７、図１０、図１２〜図１６において、分割画面９８に表示される対象は、戻るボタン２０６や、ジョイスティック２０１の操作方向を示す矢印（例えば、左向きの矢印）である。
【０１４４】
テレビには、図２３に示すように、中央にジョイスティック２０１の操作方向として有効な方向を表わした複数の矢印２１２を表示し、その外側に環状に並んで配置された複数のメニュー２０９を表示した、入力装置２００の操作に適した画面が表示される。このように、複数のメニュー２０９が環状に並んで配置されているため、利用者の眼の移動距離が少なくて済むので、利用者の眼の負担を低減させることができる。そして、利用者はジョイスティック２０１を操作して、複数のメニュー２０９のうち選択先となるメニュー２１１を選択する。ジョイスティック２０１の操作は単純で、その操作方法も明快であるため、利用者が高齢者や子供であっても、とっつきやすい。
【０１４５】
選択先となるメニュー２１１は他のメニュー２０９と異なった態様で表示され、選択先を指し示す矢印２１０は他の矢印２１２と異なった態様で表示されるので、利用者にとって、どのメニューが現在選択先となっているのかが一目瞭然である。
【０１４６】
そして、利用者が例えば「テレビでんわ」を行いたい場合には、「テレビでんわ」のメニューが表示された方向にジョイスティック２０１を倒して、「テレビでんわ」のメニューを選択先のメニュー２１１として他のメニュー２０９と異なった態様で表示させた後、確定ボタン２０５を押してそのメニューを確定する。これにより、図２４に示すようなテレビ電話の相手先を選択する画面に切り替わる。図２４に示す画面は、画面の配置等の点で図２３に示す画面と態様が異なっているため、利用者に画面が切り替わったことを視認させることができる。また、この画面には、「もどる」を表示した分割画面２１３が表示されている。利用者は、ジョイスティック２０１を操作して相手先を選択し、確定ボタン２０５でその相手先を確定することで、図６又は図７に示した画面に移行して、２元又は４元のテレビ電話を行うことができる。
【０１４７】
また、利用者が「インターネット」を実行中に、第２の実施の形態と同様に、ジョイスティック２０１を用いて、図１０に示すウェブサイト画面１１０の画面を上下左右にスクロールさせることができるようにされている。また、ジョイスティック２０１を用いて、ウェブサイト画面１１０に表示されたカーソル１１１を自在に動かすことができるようにされている。
【０１４８】
その他の点については第１の実施の形態と同じであるため、その説明を省略する。
【０１４９】
以上のように、本実施の形態の通信システムの端末機は、入力装置２００が、ジョイスティック２０１と確定ボタン２０５とを備えており、通信システムの端末機に接続されたテレビ１１，２１，３１，４１には複数のメニュー２０９が表示され、ジョイスティック２０１の操作により複数のメニュー２０９のいずれかを選択して、確定ボタン２０５で確定する構成にされている。これによると、パソコンやテレビゲーム機向けに市販されているボタン付きのジョイスティックを入力装置として流用することができる場合があり、この場合には、製造コストを抑えることができるとともに、故障しても容易に取替えを行うことができる。また、ジョイスティック２０１の操作が単純で、その操作方法も明快であるため、端末機の利用者が高齢者や子供であっても、とっつきやすいものとすることができる。
【０１５０】
また、本実施の形態の通信システムの端末機において、ジョイスティック２０１は、テレビ１１，２１，３１，４１に表示された画面をスクロール可能である構成にされている。これによると、例えばインターネットの画面を上下左右にスクロールさせることができるため、端末機の利用者はインターネットを十分に楽しむことができる。
【０１５１】
また、本実施の形態の通信システムの端末機において、ジョイスティック２０１は、テレビ１１，２１，３１，４１に表示されたカーソル１１１を移動可能である構成にされている。これによると、例えばインターネットの画面に表示されるカーソル１１１を自由に移動させて、リンク先のサイトに次々にアクセスしていくことができるため、端末機の利用者のアクセス自由度が広がる。
【０１５２】
また、本実施の形態の通信システムの端末機において、テレビ１１，２１，３１，４１に表示される複数のメニュー２０９は、放射状又は環状に並んで配置されている構成にされている。これによると、端末機の利用者の眼の移動距離が少なくて済むので、端末機の利用者の眼の負担を低減させることができる。
【０１５３】
［第４の実施の形態］
本発明の第４の実施の形態に係る通信システムの端末機の構成を図２５に基づいて説明する。尚、第１の実施の形態と同一の部材には同一の符号を付記してその説明を省略する。第４の実施の形態の構成が第１の実施の形態の構成と異なる点は、図２５に示すように、入力装置３００がトラックボール３０１と、選択対象を確定するための確定ボタン３０５と、強制的に前の画面に戻るための戻るボタン３０６と、緊急通報を行うための緊急ボタン３０７と、テレビ電話でカウンセリングを受けるための相談ボタン３０８とを備えている点である。
【０１５４】
入力装置３００は、パソコン向けに市販されているボタン付きのトラックボールを流用することができる場合があり、この場合には、製造コストを抑えることができるとともに、故障しても容易に取替えを行うことができる。この場合において、トラックボールに付属のボタンを確定ボタン３０５、戻るボタン３０６、緊急ボタン３０７、相談ボタン３０８として割り当てることができる。
【０１５５】
入力装置３００の戻るボタン３０６は、第１の実施の形態のマウス機能付テンキー装置の「Ｄｅｌ」ボタンと同様の機能を有し、入力装置３００の緊急ボタン３０７は、第１の実施の形態のマウス機能付テンキー装置の「ＢＳ」ボタンと同様の機能を有し、入力装置３００の相談ボタン３０８は、第１の実施の形態のマウス機能付テンキー装置の「Ｎｕｍ  Ｌｏｃｋ」ボタンと同様の機能を有するため、これらの説明は省略する。なお、図６、図７、図１０、図１２〜図１６において、分割画面９８に表示される対象は、戻るボタン３０６や、トラックボール３０１の操作方向を示す矢印（例えば、左向きの矢印）である。
【０１５６】
テレビには、第３の実施の形態と同様に、図２３に示すような、入力装置３００の操作に適した画面が表示される。利用者はトラックボール３０１を操作して、複数のメニュー２０９のうち選択先となるメニュー２１１を選択する。トラックボール３０１の操作は単純で、その操作方法も明快であるため、利用者が高齢者や子供であっても、とっつきやすい。
【０１５７】
また、利用者が「インターネット」を実行中に、第２の実施の形態と同様に、トラックボール３０１を用いて、図１０に示すウェブサイト画面１１０の画面を上下左右にスクロールさせることができるようにされている。また、トラックボール３０１を用いて、ウェブサイト画面１１０に表示されたカーソル１１１を自在に動かすことができるようにされている。
【０１５８】
その他の点については第１の実施の形態と同じであるため、その説明を省略する。
【０１５９】
以上のように、本実施の形態の通信システムの端末機は、入力装置３００が、トラックボール３０１と確定ボタン３０５とを備えており、通信システムの端末機に接続されたテレビ１１，２１，３１，４１には複数のメニュー２０９が表示され、トラックボール３０１で複数のメニュー２０９のいずれかを選択して、確定ボタン３０５で確定する構成にされている。これによると、パソコン向けに市販されているボタン付きのトラックボールを入力装置として流用することができる場合があり、この場合には、製造コストを抑えることができるとともに、故障しても容易に取替えを行うことができる。また、トラックボール３０１の操作が単純で、その操作方法も明快であるため、端末機の利用者が高齢者や子供であっても、とっつきやすいものとすることができる。
【０１６０】
また、本実施の形態の通信システムの端末機において、トラックボール３０１は、テレビ１１，２１，３１，４１に表示された画面をスクロール可能である構成にされている。これによると、例えばインターネットの画面を上下左右にスクロールさせることができるため、端末機の利用者はインターネットを十分に楽しむことができる。
【０１６１】
また、本実施の形態の通信システムの端末機において、トラックボール３０１は、テレビ１１，２１，３１，４１に表示されたカーソル１１１を移動可能である構成にされている。これによると、例えばインターネットの画面に表示されるカーソルを自由に移動させて、リンク先のサイトに次々にアクセスしていくことができるため、端末機の利用者のアクセス自由度が広がる。
【０１６２】
［第５の実施の形態］
本発明の第５の実施の形態に係る通信システムの端末機の構成を図２６に基づいて説明する。尚、第１の実施の形態と同一の部材には同一の符号を付記してその説明を省略する。第５の実施の形態の構成が第１の実施の形態の構成と異なる点は、図２６に示すように、入力装置４００が選択対象を予め決まった順番で移行させていくための選択ボタン４０１と、選択対象を確定するための確定ボタン４０５と、強制的に前の画面に戻るための戻るボタン４０６と、緊急通報を行うための緊急ボタン４０７と、テレビ電話でカウンセリングを受けるための相談ボタン４０８と、左クリックボタン４０９と、右クリックボタン４１０と、ホイール４１１とを備えている点である。入力装置４００は、第１の実施の形態のマウス機能付テンキー装置１５，２５，３５，４５と同様に、マウス機能を有している。
【０１６３】
入力装置４００の戻るボタン４０６は、第１の実施の形態のマウス機能付テンキー装置の「Ｄｅｌ」ボタンと同様の機能を有し、入力装置４００の緊急ボタン４０７は、第１の実施の形態のマウス機能付テンキー装置の「ＢＳ」ボタンと同様の機能を有し、入力装置４００の相談ボタン４０８は、第１の実施の形態のマウス機能付テンキー装置の「Ｎｕｍ  Ｌｏｃｋ」ボタンと同様の機能を有するため、これらの説明は省略する。なお、図６、図７、図１０、図１２〜図１６において、分割画面９８に表示されるボタンは、戻るボタン４０６や、確定ボタン４０５である。
【０１６４】
テレビには、第３の実施の形態と同様に、図２３に示す画面が表示される。利用者が選択ボタン４０１を押すごとに、複数のメニュー２０９のうち選択先となるメニュー２１１が決まった順番（例えば時計回り）で移行していく。利用者は実施したいメニューが選択されたところで、確定ボタン４０５を押すことにより、そのメニューを実行することができる。このように、入力装置４００がシンプルな構成であり、操作が単純で、その操作方法も明快であるため、端末機の利用者が高齢者や子供であっても、とっつきやすいものとすることができる。なお、テレビに表示される画面は図２０、図２１に示すような画面であってもよい。
【０１６５】
また、利用者が図１０に示すような「インターネット」を実行中に、入力装置４００のマウス機能、具体的にはホイール４１１や左クリックボタン４０９を用いて、ウェブサイト画面１１０の画面を上下左右にスクロールさせることができるようにされている。また、入力装置４００のマウス機能を用いて、ウェブサイト画面１１０に表示されたカーソル１１１を自在に動かすことができるようにされている。そして、左クリックボタン４０９を押すことで、カーソル１１１が示すリンク先にアクセスすることができるようにされている。なお、右クリックボタン４１０の機能は任意に設定すればよく、例えば、戻るボタン４０６と同じ機能であってもよい。
【０１６６】
その他の点については第１の実施の形態と同じであるため、その説明を省略する。
【０１６７】
以上のように、本実施の形態の通信システムの端末機は、入力装置４００が選択ボタン４０１と確定ボタン４０５とを備えており、通信システムの端末機に接続されたテレビ１１，２１，３１，４１には複数のメニュー２０９が表示され、選択ボタン４０１を押すごとに、複数のメニュー２０９における選択先が順番に移行し、確定ボタン４０５で選択先のメニューを確定する構成にされている。これによると、入力装置４００がシンプルな構成であり、操作が単純で、その操作方法も明快であるため、端末機の利用者が高齢者や子供であっても、とっつきやすいものとすることができる。
【０１６８】
また、入力装置４００がマウス機能を備えており、マウス機能により、テレビ１１，２１，３１，４１に表示されたウェブサイト画面１１０をスクロールさせること且つ／又はテレビ１１，２１，３１，４１に表示されたカーソル１１１を移動させることが可能な構成にされている。これによると、例えばウェブサイト画面１１０を上下左右にスクロールさせることができたり、ウェブサイト画面１１０に表示されるカーソル１１１を自由に移動させて、リンク先のサイトに次々にアクセスしていくことができるため、端末機の利用者のアクセス自由度が広がり、端末機の利用者はインターネットを十分に楽しむことができる。
【０１６９】
［第６の実施の形態］
本発明の第６の実施の形態に係る通信システムの端末機の構成を図２７に基づいて説明する。尚、第１の実施の形態と同一の部材には同一の符号を付記してその説明を省略する。第６の実施の形態の構成が第１の実施の形態の構成と異なる点は、図２７に示すように、入力装置５００が選択対象を予め決まった順番で移行させていくとともに、選択対象を確定するための操作ボタン５０１と、強制的に前の画面に戻るための戻るボタン５０６と、緊急通報を行うための緊急ボタン５０７と、テレビ電話でカウンセリングを受けるための相談ボタン５０８と、左クリックボタン５０９と、右クリックボタン５１０と、ホイール５１１とを備えている点である。入力装置５００は、第１の実施の形態のマウス機能付テンキー装置１５，２５，３５，４５と同様に、マウス機能を有している。
【０１７０】
入力装置５００の戻るボタン５０６は、第１の実施の形態のマウス機能付テンキー装置の「Ｄｅｌ」ボタンと同様の機能を有し、入力装置５００の緊急ボタン５０７は、第１の実施の形態のマウス機能付テンキー装置の「ＢＳ」ボタンと同様の機能を有し、入力装置５００の相談ボタン５０８は、第１の実施の形態のマウス機能付テンキー装置の「Ｎｕｍ  Ｌｏｃｋ」ボタンと同様の機能を有するため、これらの説明は省略する。なお、図６、図７、図１０、図１２〜図１６において、分割画面９８に表示されるボタンは、戻るボタン５０６や、操作ボタン５０１である。
【０１７１】
テレビには、第３の実施の形態と同様に、図２３に示す画面が表示される。利用者が操作ボタン５０１を短く押すごとに、複数のメニュー２０９のうち選択先となるメニュー２１１が決まった順番（例えば時計回り）で移行していく。利用者は実施したいメニューが選択されたところで、操作ボタン５０１を長く押すことにより、そのメニューを確定して実行することができる。このように、入力装置５００が必要最小限のボタンを備えたシンプルな構成であり、操作が単純で、その操作方法も明快であるため、端末機の利用者が高齢者や子供であっても、とっつきやすいものとすることができる。なお、テレビに表示される画面は図２０、図２１に示すような画面であってもよい。
【０１７２】
また、利用者が図１０に示すような「インターネット」を実行中に、入力装置５００のマウス機能、具体的にはホイール５１１や左クリックボタン５０９を用いて、ウェブサイト画面１１０の画面を上下左右にスクロールさせることができるようにされている。また、入力装置５００のマウス機能を用いて、ウェブサイト画面１１０に表示されたカーソル１１１を自在に動かすことができるようにされている。そして、左クリックボタン５０９を押すことで、カーソル１１１が示すリンク先にアクセスすることができるようにされている。なお、右クリックボタン５１０の機能は任意に設定すればよく、例えば、戻るボタン５０６と同じ機能であってもよい。
【０１７３】
その他の点については第１の実施の形態と同じであるため、その説明を省略する。
【０１７４】
以上のように、本実施の形態の通信システムの端末機は、入力装置５００が操作ボタン５０１を備えており、通信システムの端末機に接続されたテレビ１１，２１，３１，４１には複数のメニュー２０９が表示され、操作ボタン５０１を短く押すごとに、複数のメニュー２０９における選択先が順番に移行し、操作ボタン５０１を長く押すことで選択先のメニュー２１１を確定する構成にされている。これによると、入力装置５００が必要最小限のボタンを備えたシンプルな構成であり、操作が単純で、その操作方法も明快であるため、端末機の利用者が高齢者や子供であっても、とっつきやすいものとすることができる。
【０１７５】
また、入力装置５００がマウス機能を備えており、マウス機能により、テレビ１１，２１，３１，４１に表示されたウェブサイト画面１１０をスクロールさせること且つ／又はテレビ１１，２１，３１，４１に表示されたカーソル１１１を移動させることが可能な構成にされている。これによると、例えばウェブサイト画面１１０を上下左右にスクロールさせることができたり、ウェブサイト画面１１０に表示されるカーソル１１１を自由に移動させて、リンク先のサイトに次々にアクセスしていくことができるため、端末機の利用者のアクセス自由度が広がり、端末機の利用者はインターネットを十分に楽しむことができる。
【０１７６】
また、本発明を好適な実施の形態に基づいて説明したが、本発明はその趣旨を超えない範囲において変更が可能である。即ち、コミュニケーションサーバがサーバ付端末機に内蔵された構成としたが、別途設けられている構成であっても良い。
【０１７７】
また、通信システムのメニューは上述したものに限定されない。例えば、囲碁や将棋などのインターネットゲームが楽しめるようなメニューが設けられていても良い。
【０１７８】
また、電子メールの予め決められた文言が複数あって、その中から端末の利用者が送信したい内容を選択できる構成であっても良い。
【０１７９】
また、第１の実施の形態における表示画面は、複数の分割画面からなるものに限定されず、図２８に示すような、左側にマウス機能付テンキー装置のテンキー部分を表示し、右側に選択可能なメニューを表示する画面であってもよい。
【０１８０】
さらに、インターネット、テレビ電話、電子メールを利用できる通信システムがパソコン用のプログラムとなっており、このプログラムをパソコンにインストールして、パソコンで上述した内容のメニューを実行する構成であっても良い。この場合には、端末機はパソコンであり、第１の実施の形態で説明したマウス機能付テンキー装置のテンキー部分がキーボードに備わっているテンキーであってよい。この構成であっても操作する部分はテンキーとマウスのみであるため、パソコンの操作に不慣れな高齢者や子供が簡単に操作できて、テレビ電話、インターネット、電子メールを利用することができる。また、同様にして、第２の実施の形態で説明した４つの矢印ボタンが、パソコンのキーボードに備わっている矢印ボタンであって、他のボタン（確定ボタン、戻るボタン、相談ボタン、緊急ボタン）がキーボードのいずれかのボタンに割り当てられている構成であってもよい。また、同様にして、第５の実施の形態で説明した複数のボタン（選択ボタン、確定ボタン、戻るボタン、相談ボタン、緊急ボタン）がキーボードのいずれかのボタンに割り当てられている構成や、第６の実施の形態で説明した複数のボタン（操作ボタン、戻るボタン、相談ボタン、緊急ボタン）がキーボードのいずれかのボタンに割り当てられている構成であってもよい。
【図面の簡単な説明】
【０１８１】
【図１】第１の実施の形態に係る通信システムの各機器の接続構成の概略を示す図である。
【図２】第１の実施の形態に係わる端末機の構成を示す図である。
【図３】第１の実施の形態に係る入力装置であるマウス機能付テンキー装置を示す図である。
【図４】第１の実施の形態に係る表示画面を示す図であって、一番はじめの分割画面を表す図である。
【図５】第１の実施の形態に係る表示画面を示す図であって、テレビ電話の相手を選択するための分割画面を表す図である。
【図６】２元テレビ電話を行っているときの分割画面を表す図である。
【図７】４元テレビ電話を行っているときの分割画面を表す図である。
【図８】第１の実施の形態に係る表示画面を示す図であって、インターネットの接続先を選択するための分割画面を表す図である。
【図９】第１の実施の形態に係る表示画面を示す図であって、インターネットの接続先を更に選択するための分割画面を表す図である。
【図１０】インターネット上のウェブサイトの画面を示す図である。
【図１１】第１の実施の形態に係る表示画面を示す図であって、インターネット上の掲示板を選択するための分割画面を表す図である。
【図１２】市町村のウェブサイトの連絡事項を表示する掲示板を表す図である。
【図１３】給食センターのウェブサイトのメニューを表示する掲示板を表す図である。
【図１４】福祉センターのウェブサイトのカレンダーを表示する掲示板を表す図である。
【図１５】市町村のウェブサイトのサービス事項を表示する掲示板を表す図である。
【図１６】市町村のウェブサイトの緊急連絡事項を表示する掲示板を表す図である。
【図１７】第１の実施の形態に係る表示画面を示す図であって、電子メールの送信先を選択するための分割画面を表す図である。
【図１８】第１の実施の形態に係る表示画面を示す図であって、電子メールを受信した際の分割画面を表す図である。
【図１９】第２の実施の形態に係る入力装置を示す図である。
【図２０】第２の実施の形態に係る表示画面を示す図であって、一番はじめの画面を表す図である。
【図２１】第２の実施の形態に係る表示画面を示す図であって、テレビ電話の相手を選択するための画面を表す図である。
【図２２】第３の実施の形態に係る入力装置を示す図である。
【図２３】第３〜第５の実施の形態に係る表示画面を示す図であって、一番はじめの画面を表す図である。
【図２４】第３〜第５の実施の形態に係る表示画面を示す図であって、テレビ電話の相手を選択するための画面を表す図である。
【図２５】第４の実施の形態に係る入力装置を示す図である。
【図２６】第５の実施の形態に係る入力装置を示す図である。
【図２７】第６の実施の形態に係る入力装置を示す図である。
【図２８】第１の実施の形態に係る他の表示画面を示す図であって、一番はじめの画面を表す図である。
【符号の説明】
【０１８２】
１    サーバ付端末機
２〜４    端末機
５    ウェブサーバ
６    携帯電話
７    汎用パーソナルコンピュータ（パソコン）
８    タブレットＰＣ
１０，２０，３０，４０    通信システムの端末（端末）
１１，２１，３１，４１    テレビ
１２，２２，３２，４２    カメラ
１３，２３，３３，４３，５３    ルータ
１４，２４，３４，４４    マイクロフォン
１５，２５，３５，４５    マウス機能付テンキー装置
１６，２６，３６，４６    ランプ
１７，２７，３７，４７    ブザー
１８，２８，３８，４８    バイブレータ
６９，４０９，５０９    左クリックボタン
７０，４１０，５１０    右クリックボタン
７１，４１１，５１１    ホイール
９０    特定インターネットプロトコル網（特定ＩＰ網）
９１    広域インターネット網
９２    大画面
９３    小画面
９４    分割画面
９５    ウィンドウ
９６    掲示画面
９７    テレビ画面
９８，２１３    分割画面
１００，２００，３００，４００    入力装置
１０１    上ボタン
１０２    右ボタン
１０３    下ボタン
１０４    左ボタン
１０５，２０５，３０５，４０５    確定ボタン
１０６，２０６，３０６，４０６，５０６    戻るボタン
１０７，２０７，３０７，４０７，５０７    緊急ボタン
１０８，２０８，３０８，４０８，５０８    相談ボタン
１１０    ウェブサイト画面
１１１    カーソル
２０１    ジョイスティック
２０９    他のメニュー
２１０    選択先を指し示す矢印
２１１    選択先となるメニュー
２１２    他の矢印
３０１    トラックボール
４０１    選択ボタン
５０１    操作ボタン
【図１】
2006129429.tif 000003
【図２】
2006129429.tif 000004
【図３】
2006129429.tif 000005
【図４】
2006129429.tif 000006
【図５】
2006129429.tif 000007
【図６】
2006129429.tif 000008
【図７】
2006129429.tif 000009
【図８】
2006129429.tif 000010
【図９】
2006129429.tif 000011
【図１０】
2006129429.tif 000012
【図１１】
2006129429.tif 000013
【図１２】
2006129429.tif 000014
【図１３】
2006129429.tif 000015
【図１４】
2006129429.tif 000016
【図１５】
2006129429.tif 000017
【図１６】
2006129429.tif 000018
【図１７】
2006129429.tif 000019
【図１８】
2006129429.tif 000020
【図１９】
2006129429.tif 000021
【図２０】
2006129429.tif 000022
【図２１】
2006129429.tif 000023
【図２２】
2006129429.tif 000024
【図２３】
2006129429.tif 000025
【図２４】
2006129429.tif 000026
【図２５】
2006129429.tif 000027
【図２６】
2006129429.tif 000028
【図２７】
2006129429.tif 000029
【図２８】
2006129429.tif 000030